(57)【要約】  本開示は、ＩｏＴ(Ｉｎｔｅｒｎｅｔ ｏｆ Ｔｈｉｎｇｓ)技術を用いて４世代(４Ｇ)システムよりも高いデータ速度をサポートする５世代(５Ｇ)通信システムを融合する通信方法及びシステムに関する。本開示は、スマートホーム、スマートビルディング、スマートシティ、スマートカー、コネクテッドカー、ヘルスケア、デジタル教育、スマート小売り、保安及び安全サービスのような５Ｇ通信技術及びＩｏＴ関連技術に基づいた知能型サービスに適用されることができる。チャンネル状態情報(ＣＳＩ)をマルチプレクシングする方法及び装置が提供される。ユーザ装置(ＵＥ)はＣＳＩ報告のための設定情報を受信するように構成された送受信機を含む。ＵＥは設定情報をデコーディングして設定情報によってＣＳＩを計算するように構成されたプロセッサをさらに含む。送受信機はアップリンク(ＵＬ)チャンネル上で計算されたＣＳＩを送信するようにさらに構成される。ＣＳＩはＮ個のセグメントを含み、一つのスロットで送信され、Ｎ＞１である。Ｎ個のセグメントのうちの第１セグメントはランクインジケーター(ＲＩ)及び少なくとも一つの他のＣＳＩパラメーターを含む。基地局(ＢＳ)はＣＳＩ報告のための設定情報を生成するように構成されたプロセッサを含む。ＢＳはダウンリンク(ＤＬ)チャンネルを介して設定情報をＵＥに送信して;ＵＥから、アップリンク(ＵＬ)チャンネル上で設定情報によって計算されたＣＳＩ報告を受信するように構成された送受信機をさらに含む。
2020502922.tif 000002
【特許請求の範囲】
【請求項１】
ユーザ装置(ＵＥ)であって、
チャンネル状態情報(ＣＳＩ)報告のための設定情報を受信するように構成された送受信機と、
前記送受信機に動作可能に接続され、前記設定情報をデコーディングして前記設定情報によってＣＳＩを計算するように構成されたプロセッサと、を含み、
前記送受信機は、アップリンク(ＵＬ)チャンネル上で計算されたＣＳＩを送信するようにさらに構成され、
前記ＣＳＩは、Ｎ個のセグメントを含み、一つのスロットで送信され、
Ｎ＞１であり、
前記Ｎ個のセグメントのうちの第１セグメントは、ランクインジケーター(ＲＩ)及び少なくとも一つの他のＣＳＩパラメーターを含む、ユーザ装置(ＵＥ)。
【請求項２】
基地局(ＢＳ)であって、
チャンネル状態情報(ＣＳＩ)報告のための設定情報を生成するように構成されたプロセッサと、
前記プロセッサに動作可能に接続された送受信機と、を含み、
前記送受信機は、
ダウンリンク(ＤＬ)チャンネルを介して前記設定情報をＵＥに送信し、
前記ＵＥから、アップリンク(ＵＬ)チャンネル上で前記設定情報によって計算されたＣＳＩ報告を受信するように構成され、
前記ＣＳＩ報告は、Ｎ個のセグメントを含み、一つのスロットで送信され、
Ｎ＞１であり、
前記Ｎ個のセグメントのうちの第１セグメントは、ランクインジケーター(ＲＩ)及び少なくとも一つの他のＣＳＩパラメーターを含む、基地局(ＢＳ)。
【請求項３】
Ｎは２である、請求項１又は２に記載のユーザ装置(ＵＥ)又は基地局(ＢＳ)。
【請求項４】
前記第１セグメントは、第１コードワード(ＣＷ)に対するチャンネル品質インジケーター(ＣＱＩ)をさらに含む、請求項１又は２に記載のユーザ装置(ＵＥ)又は基地局(ＢＳ)。
【請求項５】
前記第１セグメントは、第１及び第２階層に対する複数の報告された広帯域振幅係数にそれぞれ相応する２個のインジケーターをさらに含む、請求項１又は２に記載のユーザ装置(ＵＥ)又は基地局(ＢＳ)。
【請求項６】
前記Ｎ個のセグメントのうちの第２セグメントは、プリコーディングマトリックスインジケーター(ＰＭＩ)に関連したＣＳＩパラメーターを含む、請求項１又は２に記載のユーザ装置(ＵＥ)又は基地局(ＢＳ)。
【請求項７】
前記第２セグメントは、前記第１セグメントで報告された前記ＲＩが４よりも大きいときに第２ＣＷに対するＣＱＩをさらに含む、請求項６に記載のユーザ装置(ＵＥ)又は基地局(ＢＳ)。
【請求項８】
前記第１セグメントは、ＣＳＩ−基準−信号リソースインジケーター(ＣＲＩ)をさらに含む、請求項１又は２に記載のユーザ装置(ＵＥ)又は基地局(ＢＳ)。
【請求項９】
ユーザ装置(ＵＥ)を動作させる方法であって、
チャンネル状態情報(ＣＳＩ)報告のための設定情報を受信及びデコーディングする段階と、
前記設定情報によってＣＳＩを計算する段階と、
アップリンク(ＵＬ)チャンネル上で計算されたＣＳＩを送信する段階と、を含み、
前記ＣＳＩは、Ｎ個のセグメントを含み、一つのスロットで送信され、
Ｎ＞１であり、
前記Ｎ個のセグメントのうちの第１セグメントは、ランクインジケーター(ＲＩ)及び少なくとも一つの他のＣＳＩパラメーターを含む、方法。
【請求項１０】
基地局(ＢＳ)を動作させる方法であって、
チャンネル状態情報(ＣＳＩ)報告のための設定情報を生成する段階と、
ダウンリンク(ＤＬ)チャンネルを介して前記設定情報をＵＥに送信する段階と、
前記ＵＥから、アップリンク(ＵＬ)チャンネル上で前記設定情報によって計算されたＣＳＩ報告を受信する段階と、を含み、
前記ＣＳＩ報告は、Ｎ個のセグメントを含み、一つのスロットで送信され、
Ｎ＞１であり、
前記Ｎ個のセグメントのうちの第１セグメントは、ランクインジケーター(ＲＩ)及び少なくとも一つの他のＣＳＩパラメーターを含む、方法。
【請求項１１】
Ｎは２である、請求項９又は１０に記載の方法。
【請求項１２】
前記第１セグメントは、第１コードワード(ＣＷ)に対するチャンネル品質インジケーター(ＣＱＩ)をさらに含む、請求項９又は１０に記載の方法。
【請求項１３】
前記第１セグメントは、第１及び第２階層に対する複数の報告された広帯域振幅係数にそれぞれ相応する２個のインジケーターをさらに含む、請求項９又は１０に記載の方法。
【請求項１４】
前記Ｎ個のセグメントのうちの第２セグメントは、プリコーディングマトリックスインジケーター(ＰＭＩ)に関連したＣＳＩパラメーターを含む、請求項９又は１０に記載の方法。
【請求項１５】
前記第２セグメントは、前記第１セグメントで報告された前記ＲＩが４よりも大きいときに第２ＣＷに対するＣＱＩをさらに含む、請求項１４に記載の方法。
【発明の詳細な説明】
【技術分野】
【０００１】
本開示は、一般的にチャンネル状態情報(ｃｈａｎｎｅｌ ｓｔａｔｅ ｉｎｆｏｒｍａｔｉｏｎ、ＣＳＩ)マルチプレクシングを可能にする方法に関する。このような方法はユーザ装置が複数の送信アンテナ及び送受信ユニットを備えるときに用いられることができる。
【背景技術】
【０００２】
４Ｇ通信システムの配置以後に増加された無線データトラフィックに対するニーズを満たすため、改善された５Ｇ又はプレ(ｐｒｅ)−５Ｇ通信システムを開発するための努力が行われた。したがって、５Ｇ又はｐｒｅ−５Ｇ通信システムは‘Ｂｅｙｏｎｄ ４Ｇ Ｎｅｔｗｏｒｋ’又は‘Ｐｏｓｔ ＬＴＥ’と呼ばれている。５Ｇ通信システムは高周波(ｍｍＷａｖｅ)帯域、例えば、６０ＧＨｚ帯域で具現され、より高いデータ速度を達成することで考慮される。無線波(ｒａｄｉｏ ｗａｖｅ)の電波損失を減少させて、送信距離を増加させるため、ビームフォーミング(ｂｅａｍｆｏｒｍｉｎｇ)、大量ＭＩＭＯ、ＦＤ−ＭＩＭＯ、アレイアンテナ、アナログビームフォーミング、大規模アンテナ技術が５Ｇ通信システムで論議される。さらに、５Ｇ通信システムにおいて、進歩された(ａｄｖａｎｃｅｄ)小型セル、クラウドＲＡＮ(Ｒａｄｉｏ Ａｃｃｅｓｓ Ｎｅｔｗｏｒｋ)、超高密度ネットワーク(ｕｌｔｒａ−ｄｅｎｓｅ ｎｅｔｗｏｒｋ)、Ｄ２Ｄ(ｄｅｖｉｃｅ−ｔｏ−ｄｅｖｉｃｅ)通信、無線バックホール、移動ネットワーク、協調通信、ＣｏＭＰ(Ｃｏｏｒｄｉｎａｔｅｄ Ｍｕｌｔｉ−Ｐｏｉｎｔ)、受信端干渉除去などを基盤にシステムネットワーク改善のための開発が進行されている。５Ｇシステムにおいて、ＡＣＭ(ａｄｖａｎｃｅｄ ｃｏｄｉｎｇ ｍｏｄｕｌａｔｉｏｎ)としてハイブリッドＦＱＡＭ(ＦＳＫ ａｎｄ ＱＡＭ Ｍｏｄｕｌａｔｉｏｎ)、及び進歩されたアクセス技術としてＦＢＭＣ(ｆｉｌｔｅｒ ｂａｎｋ ｍｕｌｔｉ ｃａｒｒｉｅｒ)、ＮＯＭＡ(ｎｏｎ−ｏｒｔｈｏｇｏｎａｌ ｍｕｌｔｉｐｌｅ ａｃｃｅｓｓ)及びＳＣＭＡ(ｓｐａｒｓｅ ｃｏｄｅ ｍｕｌｔｉｐｌｅ ａｃｃｅｓｓ)が開発された。
【０００３】
人間が情報を生成して消費する人間中心の接続ネットワークであるインターネットは、事物(ｔｈｉｎｇｓ)のような分散したエンティティーが人間の介入無しに情報を取り交わして処理するＩｏＴ(Ｉｎｔｅｒｎｅｔ ｏｆ Ｔｈｉｎｇ)へ進化しつつある。クラウドサーバーとの接続を通じるビックデータ(Ｂｉｇｄａｔａ)処理技術の組み合わせであるＩｏＥ(Ｉｎｔｅｒｎｅｔ ｏｆ Ｅｖｅｒｙｔｈｉｎｇ)が登場した。“センシング技術”、“有無線通信及びネットワークインフラ構造”、“サービスインターフェース技術”、及び“保安技術”のような技術要素がＩｏＴ具現のために要求されることによって、センサーネットワーク、Ｍ２Ｍ(Ｍａｃｈｉｎｅ ｔｏ Ｍａｃｈｉｎｅ)、ＭＴＣ(Ｍａｃｈｉｎｅ Ｔｙｐｅ Ｃｏｍｍｕｎｉｃａｔｉｏｎ)などは最近に研究されて来た。このようなＩｏＴ環境は接続された事物間に生成されたデータを収集し、分析することによって人間の生活に新しい価値を創出する知能型インターネットサービス技術(Ｉｎｔｅｒｎｅｔ Ｔｅｃｈｎｏｌｏｇｙ；ＩＴ)のような多様な産業用アプリケーション間の融合(ｃｏｎｖｅｒｇｅｎｃｅ)及び組み合せを介してスマートホーム、スマートビルディング、スマートシティ、スマートカー又はコネクテッドカー(ｃｏｎｎｅｃｔｅｄ ｃａｒ）、スマートグリッド、ヘルスケア、スマート家電、進歩された医療サービスを含む多様な分野に応用されることができる。
【０００４】
これにより、５Ｇ通信システムをＩｏＴネットワークに適用するための多様な試みが行われた。例えば、センサーネットワーク、ＭＴＣ(Ｍａｃｈｉｎｅ Ｔｙｐｅ Ｃｏｍｍｕｎｉｃａｔｉｏｎ)、Ｍ２Ｍ(Ｍａｃｈｉｎｅ ｔｏ Ｍａｃｈｉｎｅ)通信のような技術はビームフォーミング、ＭＩＭＯ、及びアレイアンテナによって具現されていることである。前述したビックデータ処理技術としてクラウドＲＡＮ(Ｒａｄｉｏ Ａｃｃｅｓｓ Ｎｅｔｗｏｒｋ)の適用はさらに５Ｇ技術とＩｏＴ技術の間の融合の一例として見なすことができる。
【０００５】
無線通信は現代史において最も成功的な革新中の一つである。タブレット、“ノートパッド(ｎｏｔｅ ｐａｄ)”コンピューター、ネットブック、ｅブックリーダー(ｅＢｏｏｋ ｒｅａｄｅｒ)、機械タイプのデバイスのようなスマートフォン及び他のモバイルデータデバイスの消費者と企業の間で人気が高くなることによって無線データトラフィックの需要は急速に増加している。モバイルデータトラフィックの高い成長を満たし、新しいアプリケーション及び配置をサポートするため、無線インターフェース効率及びカバレッジの改善が最も重要である。
【０００６】
モバイルデバイス又はユーザ装置は、ダウンリンクチャンネルの品質を測定し、このような品質を基地局に報告することができることによって、モバイルデバイスと通信するうちに多様なパラメーターが調整されるべきか否かについての決定がなされることができる。無線通信システムにおける既存のチャンネル品質報告プロセスは大型の２次元アレイ送信アンテナ又は一般的に多数のアンテナ要素を収容するアンテナアレイ幾何学的構造(ｇｅｏｍｅｔｒｙ)と連関されたチャンネル状態情報の報告を充分に収容することができない。
【発明の概要】
【発明が解決しようとする課題】
【０００７】
したがって、大型の２次元アレイ送信アンテナと連関されたチャンネル状態情報(ＣＳＩ)マルチプレクシング方式を提供する必要がある。
【課題を解決するための手段】
【０００８】
本開示の多様な実施態様は、ＣＳＩマルチプレクシングのための方法及び装置を提供する。
【０００９】
一実施態様で、ユーザ装置(ＵＥ)が提供される。ＵＥは、ＣＳＩ報告のための設定情報を受信するように構成された送受信機を含む。ＵＥは、送受信機に動作可能に接続されたプロセッサをさらに含む。プロセッサは、設定情報をデコーディングして、設定情報によってＣＳＩを計算するように構成される。送受信機は、アップリンク(ＵＬ)チャンネル上で計算されたＣＳＩを送信するようにさらに構成される。ＣＳＩは、Ｎ個のセグメントを含み、一つのスロットで送信され、ここで、Ｎ＞１である。Ｎ個のセグメントのうちの第１セグメントは、ランクインジケーター(ｒａｎｋ ｉｎｄｉｃａｔｏｒ、ＲＩ)及び少なくとも一つの他のＣＳＩパラメーターを含む。
【００１０】
別の実施態様で、基地局(ＢＳ)が提供される。ＢＳは、ＣＳＩ報告のための設定情報を生成するように構成されたプロセッサを含む。ＢＳは、プロセッサに動作可能に接続された送受信機をさらに含む。送受信機は、ダウンリンク(ＤＬ)チャンネルを介して設定情報をＵＥへ送信して；ＵＥからアップリンク(ＵＬ)チャンネル上で設定情報によって計算されたＣＳＩ報告を受信するように構成される。ＣＳＩは、Ｎ個のセグメントを含み、一つのスロットで送信され、ここで、Ｎ＞１である。Ｎ個のセグメントのうちの第１セグメントは、ランクインジケーター(ＲＩ)及び少なくとも一つの他のＣＳＩパラメーターを含む。
【００１１】
別の実施態様で、ＵＥを動作させる方法が提供される。方法は、ＣＳＩ報告のための設定情報を受信及びデコーディングする段階と、設定情報によってＣＳＩを計算する段階と、ＵＬ上で計算されたＣＳＩを送信する段階と、を含む。ＣＳＩは、Ｎ個のセグメントを含み、一つのスロットで送信され、ここで、Ｎ＞１である。Ｎ個のセグメントのうちの第１セグメントは、ＲＩ及び少なくとも一つの他のＣＳＩパラメーターを含む。
【００１２】
本開示は、ＬＴＥ(Ｌｏｎｇ Ｔｅｒｍ Ｅｖｏｌｕｔｉｏｎ)のような４世代(４Ｇ)通信システムよりも高いデータ速度をサポートするために提供されるプレ−５世代(５Ｇ)又は５Ｇ通信システムに関する。
【００１３】
他の技術的特徴は以下の図面、発明の詳細な説明及び請求項から通常の技術者に容易に明白であろう。
【００１４】
以下の詳細な説明をする前に、本特許文書全体にかけて用いられた特定単語及び句を定義することが都合がよいであろう。用語“結合(ｃｏｕｐｌｅ)”及びこの派生語は２つ以上の要素が互いに物理的に接触するか否かにかかわらず２つ以上の要素の間のどんな直接又は間接通信も指称する。用語“送信する”、“受信する”及び“通信する”だけでなくこの派生語は直接及び間接通信のいずれもを含む。用語“含有する(ｉｎｃｌｕｄｅ)”及び“含む(ｃｏｍｐｒｉｓｅ)”だけでなくこの派生語は制限なしに含むことを(ｉｎｃｌｕｓｉｏｎ)意味する。用語“又は”は包括的であり、及び／又は(ａｎｄ／ｏｒ)を意味する。句“〜と連関された(ａｓｓｏｃｉａｔｅｄ ｗｉｔｈ)”だけでなくこの派生語は含み(ｉｎｃｌｕｄｅ)、内に含まれて(ｉｎｃｌｕｄｅｄ ｗｉｔｈｉｎ)、と相互接続して(ｉｎｔｅｒｃｏｎｎｅｃｔ ｗｉｔｈ)、含んで(ｃｏｎｔａｉｎ)、内に含有されて(ｂｅ ｃｏｎｔａｉｎｅｄ ｗｉｔｈｉｎ)、〜に又は〜と接続して(ｃｏｎｎｅｃｔ ｔｏ ｏｒ ｗｉｔｈ)、〜に又は〜と結合して(ｃｏｕｐｌｅ ｔｏ ｏｒ ｗｉｔｉ)、〜と通信可能で(ｂｅ ｃｏｍｍｕｎｉｃａｂｌｅ ｗｉｔｈ)、〜と協力して(ｃｏｏｐｅｒａｔｅ ｗｉｔｈ)、インタリーブして(ｉｎｔｅｒｌｅａｖｅ)、併置して(ｊｕｘｔａｐｏｓｅ)、に近づいて(ｂｅ ｐｒｏｘｉｍａｔｅ ｔｏ)、〜に又は〜とバウンディングされて(ｂｅ ｂｏｕｎｄ ｔｏ ｏｒ ｗｉｔｈ)、持って(ｈａｖｅ)、所有しており(ｈａｖｅ ａ ｐｒｏｐｅｒｔｙ ｏｆ)、〜に又は〜と関係をもって(ｈａｖｅ ａ ｒｅｌａｔｉｏｎｓｈｉｐ ｔｏ ｏｒ ｗｉｔｈ)などであることを意味する。用語“制御機”は少なくとも一つの動作を制御する任意のデバイス、システム又はこの一部を意味する。このような制御機はハードウェア又はハードウェア及びソフトウェアの組み合せ及び／又はファームウェアで具現されることができる。任意の特定制御機と連関された機能はローカルでも遠隔でも中央集中化されたり分散化されたりすることができる。句“少なくとも一つ(ａｔ ｌｅａｓｔ ｏｎｅ ｏｆ)”は、項目のリストと共に用いられる時、羅列された項目中の一つ以上の異なる組み合せが用いられることができ、リスト内には一つの項目だけが必要なことがあるということを意味する。例えば、“Ａ、Ｂ及びＣのうちの少なくとも一つ”は次の組み合せ：Ａ、Ｂ、Ｃ、Ａ及びＢ、Ａ及びＣ、Ｂ及びＣ、並びにＡ及びＢ及びＣのうちのいずれか一つを含む。
【００１５】
さらに、後述する多様な機能は一つ以上のコンピュータープログラムにより具現されたりサポートされたりすることができ、それぞれのコンピュータープログラムはコンピューター判読可能プログラムコードから形成され、コンピューター読取り可能媒体で具現される。用語“アプリケーション”及び“プログラム”は適切なコンピューター読取り可能プログラムコードで具現のために適応された一つ以上のコンピュータープログラム、ソフトウェアコンポーネント、コマンドセット、手続き、機能、客体(ｏｂｊｅｃｔ)、クラス、インスタンス(ｉｎｓｔａｎｃｅ)、連関されたデータ又はこの一部を指称する。句“コンピューター読取り可能プログラムコード”はソースコード、客体コード及び実行可能コードを含む任意のタイプのコンピューターコードを含む。句“コンピューター読取り可能媒体”は判読専用メモリー(ｒｅａｄ ｏｎｌｙ ｍｅｍｏｒｙ；ＲＯＭ)、ランダムアクセスメモリー(ｒａｎｄｏｍ ａｃｃｅｓｓ ｍｅｍｏｒｙ；ＲＡＭ)、ハードディスクドライブ、コンパクトディスク(ｃｏｍｐａｃｔ ｄｉｓｃ；ＣＤ)、デジタルビデオディスク(ｄｉｇｉｔａｌ ｖｉｄｅｏ ｄｉｓｃ；ＤＶＤ)、又は任意の他のタイプのメモリーと共にコンピューターによりアクセスされることができる任意のタイプの媒体を含む。“非一時的(ｎｏｎ−ｔｒａｎｓｉｔｏｒｙ)”コンピューター読取り可能媒体は一時的電気的又は他の信号を送信する有線、無線、光学又は他の通信リンクを排除する。非一時的コンピューター読取り可能媒体はデータが永久的に記憶されることができる媒体、及び再記録可能光ディスク又は消去可能メモリーデバイスのようにデータが記憶され、後で上書きされる(ｏｖｅｒｗｒｉｔｉｎｇ)ことができるような媒体を含む。
【００１６】
他の特定単語及び句に対する定義は、本特許文書全体にかけて提供される。通常の技術者は大部分の場合ではないがこのような定義がこのような定義された単語及び句の以前及び以後の使用に適用されるということを理解しなければならない。
【発明の効果】
【００１７】
本開示の多様な実施形態はＣＳＩマルチプレクシングのための方法及び装置を提供する。
【００１８】
本開示及びこの利点に対するより完全な理解のために、添付された図面に係って取られた次の説明に対する参照がこれからなり、ここで同一図面番号は同一部分を示す。
【図面の簡単な説明】
【００１９】
【図１】本開示の多様な実施形態による例示的な無線ネットワークを示す。
【図２Ａ】本開示の多様な実施形態による例示的な無線送受信経路を示す。
【図２Ｂ】本開示の多様な実施形態による例示的な無線送受信経路を示す。
【図３Ａ】本開示の多様な実施形態による例示的なＵＥを示す。
【図３Ｂ】本開示の多様な実施形態による例示的なＢＳを示す。
【図４】一つのＣＳＩ−ＲＳポートが多数のアナログ制御アンテナ要素にマッピングされる例示的なビームフォーミングアーキテクチャーを示す。
【図５】本開示の実施形態によるＣＳＩ報告帯域設定の何種類例を示す。
【図６】本開示の実施形態によるＵＣＩコードワード形成のための一例を示す。
【図７】本開示の実施形態によるＣＳＩパラメーターの共同エンコーディング(ｊｏｉｎｔ ｅｎｃｏｄｉｎｇ)のための一例を示す。
【図８】本開示の実施形態による２−セグメントＵＣＩエンコーディングのための一例を示す。
【図９Ａ】本開示の実施形態による２−セグメントＣＳＩエンコーディングのための一例を示す。
【図９Ｂ】本開示の実施形態による２−セグメントＵＣＩエンコーディングのための一例を示す。
【図１０】本開示の実施形態による３−セグメントＵＣＩエンコーディングのための一例を示す。
【図１１Ａ】本開示の実施形態による２−セグメントＵＣＩエンコーディングの例を示す。
【図１１Ｂ】本開示の実施形態による２−セグメントＵＣＩエンコーディングの例を示す。
【図１１Ｃ】本開示の実施形態による２−セグメントＵＣＩエンコーディングの例を示す。
【図１１Ｄ】本開示の実施形態による２−セグメントＵＣＩエンコーディングの例を示す。
【図１１Ｅ】本開示の実施形態による２−セグメントＵＣＩエンコーディングの例を示す。
【図１１Ｆ】本開示の実施形態による２−セグメントＵＣＩエンコーディングの例を示す。
【図１１Ｇ】本開示の実施形態による２−セグメントＵＣＩエンコーディングの例を示す。
【図１２】本開示の実施形態によってＣＳＩ−ＵＣＩがＵＬ−ＳＣＨデータと共に送信されるマルチプレクシング方式のいくつかの例を示す。
【図１３】本開示の実施形態による２−セグメントＵＣＩエンコーディングの場合のＵＣＩマルチプレクシングに対する一例を示す。
【図１４】本開示の実施形態によってＵＥがＣＳＩ設定情報を受信し、マルチ−セグメントＣＳＩを報告する例示的な方法に対するフローチャートを示す。
【図１５】本開示の実施形態によってＢＳがＣＳＩ設定情報を送信し、ＵＥ(ＵＥ−ｋにラベリングされる)に対するマルチ−セグメントＣＳＩ報告を受信する例示的な方法に対するフローチャートを示す。
【発明を実施するための形態】
【００２０】
以下、論議される図１〜図１５、及び本特許文書で本開示の原理を説明するために用いられた多様な実施形態は、ただ例示のためのもので、どんなふうでも本開示の範囲を制限することで解釈されてはいけない。通常の技術者は本開示の原理が適切に配置された任意の無線通信システムで具現されることができるということを理解するだろう。
【００２１】
頭文字語(ａｃｒｏｎｙｍｓ)のリスト
・２Ｄ：２次元(ｔｗｏ−ｄｉｍｅｎｓｉｏｎａｌ)
・ＭＩＭＯ：多重入力多重出力(ｍｕｌｔｉｐｌｅ−ｉｎｐｕｔ ｍｕｌｔｉｐｌｅ−ｏｕｔｐｕｔ)
・ＳＵ−ＭＩＭＯ：単一ユーザ ＭＩＭＯ(ｓｉｎｇｌｅ−ｕｓｅｒ ＭＩＭＯ)
・ＭＵ−ＭＩＭＯ：多重ユーザ ＭＩＭＯ(ｍｕｌｔｉ−ｕｓｅｒ (ＭＩＭＯ)
・３ＧＰＰ：３世代パートナシッププロジェクト(３ｒｄ ｇｅｎｅｒａｔｉｏｎ ｐａｒｔｎｅｒｓｈｉｐ ｐｒｏｊｅｃｔ)
・ＬＴＥ：ｌｏｎｇ−ｔｅｒｍ ｅｖｏｌｕｔｉｏｎ
・ＵＥ：ユーザ装置(ｕｓｅｒ ｅｑｕｉｐｍｅｎｔ)
・ｅＮＢ：ｅｖｏｌｖｅｄ Ｎｏｄｅ Ｂ又は“ｅＮＢ”
・ＢＳ：基地局(ｂａｓｅ ｓｔａｔｉｏｎ)
・ＤＬ：ダウンリンク(ｄｏｗｎｌｉｎｋ)
・ＵＬ：アップリンク(ｕｐｌｉｎｋ)
・ＣＲＳ：セル特定基準信号(ｃｅｌｌ−ｓｐｅｃｉｆｉｃ ｒｅｆｅｒｅｎｃｅ ｓｉｇｎａｌ(ｓ))
・ＤＭＲＳ：復調基準信号(ｄｅｍｏｄｕｌａｔｉｏｎ ｒｅｆｅｒｅｎｃｅ ｓｉｇｎａｌ(ｓ))
・ＳＲＳ：サウンディング基準信号(ｓｏｕｎｄｉｎｇ ｒｅｆｅｒｅｎｃｅ ｓｉｇｎａｌ(ｓ))
・ＵＥ−ＲＳ：ＵＥ−特定基準信号(ＵＥ−ｓｐｅｃｉｆｉｃ ｒｅｆｅｒｅｎｃｅ ｓｉｇｎａｌ(ｓ))
・ＣＳＩ−ＲＳ：チャンネル状態情報基準信号(ｃｈａｎｎｅｌ ｓｔａｔｅ ｉｎｆｏｒｍａｔｉｏｎ ｒｅｆｅｒｅｎｃｅ ｓｉｇｎａｌｓ)
・ＳＣＩＤ：スクランブルアイデンティティー(ｓｃｒａｍｂｌｉｎｇ ｉｄｅｎｔｉｔｙ)
・ＭＣＳ：変調及びコーディング方式(ｍｏｄｕｌａｔｉｏｎ ａｎｄ ｃｏｄｉｎｇ ｓｃｈｅｍｅ)
・ＲＥ：リソース要素(ｒｅｓｏｕｒｃｅ ｅｌｅｍｅｎｔ)
・ＣＱＩ：チャンネル品質情報(ｃｈａｎｎｅｌ ｑｕａｌｉｔｙ ｉｎｆｏｒｍａｔｉｏｎ)
・ＰＭＩ：プリコーディングマトリックスインジケーター(ｐｒｅｃｏｄｉｎｇ ｍａｔｒｉｘ ｉｎｄｉｃａｔｏｒ)
・ＲＩ：ランクインジケーター(ｒａｎｋ ｉｎｄｉｃａｔｏｒ)
・ＭＵ−ＣＱＩ：マルチユーザＣＱＩ(ｍｕｌｔｉ−ｕｓｅｒ ＣＱＩ)
・ＣＳＩ：チャンネル状態情報(ｃｈａｎｎｅｌ ｓｔａｔｅ ｉｎｆｏｒｍａｔｉｏｎ)
・ＣＳＩ−ＩＭ：ＣＳＩ干渉測定(ＣＳＩ ｉｎｔｅｒｆｅｒｅｎｃｅ ｍｅａｓｕｒｅｍｅｎｔ)
・ＣｏＭＰ：多地点協力(ｃｏｏｒｄｉｎａｔｅｄ  ｍｕｌｔｉ−ｐｏｉｎｔ)
・ＤＣＩ：ダウンリンク制御情報(ｄｏｗｎｌｉｎｋ ｃｏｎｔｒｏｌ ｉｎｆｏｒｍａｔｉｏｎ)
・ＵＣＩ：アップリンク制御情報(ｕｐｌｉｎｋ ｃｏｎｔｒｏｌ ｉｎｆｏｒｍａｔｉｏｎ)
・ＰＤＳＣＨ：物理的ダウンリンク共有チャンネル(ｐｈｙｓｉｃａｌ ｄｏｗｎｌｉｎｋ ｓｈａｒｅｄ ｃｈａｎｎｅｌ)
・ＰＤＣＣＨ：物理的ダウンリンク制御チャンネル(ｐｈｙｓｉｃａｌ ｄｏｗｎｌｉｎｋ ｃｏｎｔｒｏｌ ｃｈａｎｎｅｌ)
・ＰＵＳＣＨ：物理的アップリンク共有チャンネル(ｐｈｙｓｉｃａｌ ｕｐｌｉｎｋ ｓｈａｒｅｄ ｃｈａｎｎｅｌ)
・ＰＵＣＣＨ：物理的アップリンク制御チャンネル(ｐｈｙｓｉｃａｌ ｕｐｌｉｎｋ ｃｏｎｔｒｏｌ ｃｈａｎｎｅｌ)
・ＰＲＢ：物理的リソースブロック(ｐｈｙｓｉｃａｌ ｒｅｓｏｕｒｃｅ ｂｌｏｃｋ)
・ＲＲＣ：無線リソース制御(ｒａｄｉｏ ｒｅｓｏｕｒｃｅ ｃｏｎｔｒｏｌ)
・ＡｏＡ：到着角度(ａｎｇｌｅ ｏｆ ａｒｒｉｖａｌ)
・ＡｏＤ：出発角度(ａｎｇｌｅ ｏｆ ｄｅｐａｒｔｕｒｅ)
【００２２】
次の文書及び標準説明は、本明細書に充分に説明されたように本開示に参照として統合される：３ＧＰＰ Ｔｅｃｈｎｉｃａｌ Ｓｐｅｃｉｆｉｃａｔｉｏｎ(ＴＳ)３６．２１１ ｖｅｒｓｉｏｎ １２．４．０，“Ｅ−ＵＴＲＡ、Ｐｈｙｓｉｃａｌ ｃｈａｎｎｅｌｓ ａｎｄ ｍｏｄｕｌａｔｉｏｎ”(“ＲＥＦ １”)；３ＧＰＰ ＴＳ ３６．２１２ ｖｅｒｓｉｏｎ １２．３．０，“Ｅ−ＵＴＲＡ，Ｍｕｌｔｉｐｌｅｘｉｎｇ ａｎｄ Ｃｈａｎｎｅｌ ｃｏｄｉｎｇ”(“ＲＥＦ２”)；３ＧＰＰ ＴＳ ３６．２１３ ｖｅｒｓｉｏｎ １２．４．０、“Ｅ−ＵＴＲＡ，Ｐｈｙｓｉｃａｌ Ｌａｙｅｒ Ｐｒｏｃｅｄｕｒｅｓ”(“ＲＥＦ ３”)；３ＧＰＰ ＴＳ ３６．３２１ ｖｅｒｓｉｏｎ １２．４．０、“Ｅ−ＵＴＲＡ，Ｍｅｄｉｕｍ Ａｃｃｅｓｓ Ｃｏｎｔｒｏｌ(ＭＡＣ)Ｐｒｏｔｏｃｏｌ Ｓｐｅｃｉｆｉｃａｔｉｏｎ”(“ＲＥＦ ４”)；ａｎｄ ３ＧＰＰ ＴＳ ３６．３３１ ｖｅｒｓｉｏｎ １２．４．０、“Ｅ−ＵＴＲＡ，Ｒａｄｉｏ Ｒｅｓｏｕｒｃｅ Ｃｏｎｔｒｏｌ(ＲＲＣ)Ｐｒｏｔｏｃｏｌ Ｓｐｅｃｉｆｉｃａｔｉｏｎ”(“ＲＥＦ ５”)。
【００２３】
４Ｇ通信システムの配置以後に増加された無線データトラフィックに対する需要を満たすため、改善した５Ｇ又はプレ−５Ｇ通信システムを開発するための努力が行われた。したがって、５Ｇ又はプレ−５Ｇ通信システムは‘Ｂｅｙｏｎｄ ４Ｇ Ｎｅｔｗｏｒｋ’又は'Ｐｏｓｔ ＬＴＥ Ｓｙｓｔｅｍ'とも呼ばれている。
【００２４】
５Ｇ通信システムはさらに高周波(ｍｍＷａｖｅ)帯域、すなわち、６０ＧＨｚ帯域で具現されてより高いデータ速度を達成することで考慮される。無線波の電波損失を減少させて、送信距離を増加させるため、ビームフォーミング、大量ＭＩＭＯ(ｍｕｌｔｉｐｌｅ−ｉｎｐｕｔ ｍｕｌｔｉｐｌｅ−ｏｕｔｐｕｔ)、ＦＤ−ＭＩＭＯ(Ｆｕｌｌ Ｄｉｍｅｎｓｉｏｎａｌ ＭＩＭＯ)、アレイアンテナ、アナログビームフォーミング、大規模アンテナ技術は５Ｇ通信システムで論議される。
【００２５】
さらに、５Ｇ通信システムにおいて、進歩された小型セル、クラウドＲＡＮ(Ｒａｄｉｏ Ａｃｃｅｓｓ Ｎｅｔｗｏｒｋ)、超高密度ネットワーク(ｕｌｔｒａ−ｄｅｎｓｅ ｎｅｔｗｏｒｋ)、Ｄ２Ｄ(ｄｅｖｉｃｅ−ｔｏ−ｄｅｖｉｃｅ)通信、無線バックホール、移動ネットワーク、協力通信、ＣｏＭＰ(Ｃｏｏｒｄｉｎａｔｅｄ Ｍｕｌｔｉ−Ｐｏｉｎｔ)受信端干渉取消しなどに基づいてシステムネットワーク改善のための開発が進行されている。
【００２６】
５Ｇシステムにおいて、ＡＣＭ(ａｄｖａｎｃｅｄ ｃｏｄｉｎｇ ｍｏｄｕｌａｔｉｏｎ)としてハイブリッドＦＱＡＭ(ＦＳＫ ａｎｄ ＱＡＭ Ｍｏｄｕｌａｔｉｏｎ)及びＳＷＳＣ(ｓｌｉｄｉｎｇ ｗｉｎｄｏｗ ｓｕｐｅｒｐｏｓｉｔｉｏｎ ｃｏｄｉｎｇ)、及び進歩されたアクセス技術としてＦＢＭＣ(ｆｉｌｔｅｒ ｂａｎｋ ｍｕｌｔｉ ｃａｒｒｉｅｒ)、ＮＯＭＡ(ｎｏｎ−ｏｒｔｈｏｇｏｎａｌ ｍｕｌｔｉｐｌｅ ａｃｃｅｓｓ)及びＳＣＭＡ(ｓｐａｒｓｅ ｃｏｄｅ ｍｕｌｔｉｐｌｅ ａｃｃｅｓｓ)が開発された。
【００２７】
図１は、本開示の多様な実施形態による例示的な無線ネットワーク１００を示す。図１に示された無線ネットワーク１００の実施形態は例示のみのためのことである。無線ネットワーク１００の他の実施形態は本開示の範囲を逸脱せず用いられることができる。
【００２８】
無線ネットワーク１００は、ＢＳ１０１、ＢＳ１０２及びＢＳ１０３を含む。ＢＳ１０１はＢＳ１０２及びＢＳ１０３と通信する。ＢＳ１０１はさらにインターネット、独占的ＩＰ(Ｉｎｔｅｒｎｅｔ Ｐｒｏｔｏｃｏｌ)ネットワーク又は他のデータネットワークのような少なくとも一つのＩＰネットワーク１３０と通信する。“ＢＳ”の 代りに、“ｅＮＢ”(ｅｎｈａｎｃｅｄ Ｎｏｄｅ Ｂ)又は“ｇＮＢ”(ｇｅｎｅｒａｌ Ｎｏｄｅ Ｂ)のような選択用語がさらに用いられることができる。ネットワークタイプによって、“基地局”は“アクセスポイント”のような“ｇＮＢ”又は“ＢＳ”の代りに他のよく知られた用語が用いられることができる。便宜上、用語“ｇＮＢ”及び“ＢＳ”は本特許文書で無線アクセスを遠隔端末機に提供するネットワークインフラ構成要素を示すのに用いられる。また、ネットワークタイプによって、“移動局”、“加入者局”、“遠隔端末機”、“無線端末機”又は“ユーザデバイス”のような“ユーザ装置”又は“ＵＥ”の代りに他のよく知られた用語が用いられることができる。便宜上、用語“ユーザ装置”及び“ＵＥ”は本特許文書でＵＥが(移動電話又はスマートフォンのような)モバイルデバイスであるか、若しくは一般的に(デスクトップコンピューター又は自動販売機のような)固定デバイスで見なされるかに関わらずｇＮＢに無線にアクセスする遠隔無線装置を示すことに用いられる。
【００２９】
ｇＮＢ１０２は、ｇＮＢ１０２のカバレッジ領域１２０内の第１複数のユーザ装置(ＵＥ)に対するネットワーク１３０に無線広帯域アクセスを提供する。第１複数のＵＥは小企業(ｓｍａｌｌ ｂｕｓｉｎｅｓｓ；ＳＢ)に位置されることができるＵＥ１１１；企業(ｅｎｔｅｒｐｒｉｓｅ；Ｅ)に位置されることができるＵＥ１１２；ＷｉＦｉホットスポット(ｈｏｔｓｐｏｔ；ＨＳ)に位置されることができるＵＥ１１３；第１居住地(ｒｅｓｉｄｅｎｃｅ；Ｒ)に位置されることができるＵＥ１１４；第２居住地(Ｒ)に位置されることができるＵＥ１１５；及び携帯電話、無線ラップトップ、無線ＰＤＡなどのようなモバイルデバイス(Ｍ)であることができるＵＥ１１６を含む。ｇＮＢ１０３は、ｇＮＢ１０３のカバレッジ領域１２５内の第２複数のＵＥに対するネットワーク１３０に無線広帯域アクセスを提供する。第２複数のＵＥはＵＥ１１５及びＵＥ１１６を含む。一部実施形態で、ｇＮＢ１０１−１０３のうちの一つ以上は互いに通信し、５Ｇ、ＬＴＥ、ＬＴＥ−Ａ、ＷｉＭＡＸ、ＷｉＦｉ又は他の進歩された無線通信技術を用いてＵＥ１１１−１１６と通信することができる。
【００３０】
点線は例示及び例示のみのためにほとんど円形で示されるカバレッジ領域１２０及び１２５の大略的な範囲を示す。カバレッジ領域１２０及び１２５のようなｇＮＢと連関されたカバレッジ領域はｇＮＢの設定及び自然的及び人工的な妨害物(ｍａｎ−ｍａｄｅ ｏｂｓｔｒｕｃｔｉｏｎ)と連関された無線環境の変化に伴って不規則な形状を含む他の形状を有することができるということが明確に理解されなければならない。
【００３１】
以下、より詳細に説明されたように、一つ以上のｇＮＢ１０１、ｇＮＢ１０２及びｇＮＢ１０３は測定基準信号をＵＥ１１１−１１６に送信し、本開示の実施形態で説明されたようにマルチプレクシングされたＣＳＩ報告のためにＵＥ１１１−１１６を構成する。多様な実施形態で、一つ以上のＵＥ１１１−１１６はマルチプレクシングされたＣＳＩを生成して報告する。
【００３２】
図１は、無線ネットワーク１００の一例を示すが、図１に対する多様な変更が成ることができる。例えば、無線ネットワーク１００は任意の数のｇＮＢ及び任意の数のＵＥを任意の適切な配置に含ませることができる。さらに、ｇＮＢ１０１は任意の数のＵＥと直接通信することができ、ネットワーク１３０に対する無線広帯域アクセスをこのようなＵＥに提供することができる。類似に、それぞれのｇＮＢ１０２−１０３はネットワーク１３０と直接通信することができ、ネットワーク１３０に対する直接無線広帯域アクセスをＵＥに提供することができる。さらに、ｇＮＢ１０１、１０２及び／又は１０３は外部電話ネットワーク又は他のタイプのデータネットワークのような他の又は付加的な外部ネットワークに対するアクセスを提供することができる。
【００３３】
図２Ａ及び図２Ｂは、本開示による例示的な無線送受信経路を示す。次の説明で、送信経路２００は、ｇＮＢ(例えば、ｇＮＢ１０２)で具現されることとして説明されることができるが、受信経路２５０はＵＥ(例えば、ＵＥ１１６)で具現されることに説明されることができる。しかし、受信経路２５０はｇＮＢで具現されることができ、送信経路２００はＵＥで具現されることができることを理解するだろう。一部実施形態で、受信経路２５０は本開示の実施形態で説明されたようにマルチプレクシングされたＣＳＩを生成して報告するように構成される。
【００３４】
送信経路２００は、チャンネルコーディング及び変調ブロック２０５、直列対並列(Ｓ−ｔｏ−Ｐ)ブロック２１０、サイズＮ高速フーリエ変換(Ｉｎｖｅｒｓｅ Ｆａｓｔ Ｆｏｕｒｉｅｒ Ｔｒａｎｓｆｏｒｍ；ＩＦＦＴ)ブロック３１５、並列対直列(Ｐ−ｔｏ−Ｓ)ブロック２２０、‘付加サイクリックプレフィックス’ブロック(ａｄｄ ｃｙｃｌｉｃ ｐｒｅｆｉｘ ｂｌｏｃｋ)２２５及びアップ変換器(ｕｐ−ｃｏｎｖｅｒｔｅｒ、ＵＣ)２３０を含む。受信経路２５０はダウン変換器(ｄｏｗｎ−ｃｏｎｖｅｒｔｅｒ、ＤＣ)２５５、‘消去(ｒｅｍｏｖｅ)サイクリックプレフィックス’ブロック２６０、直列対並列(Ｓ−ｔｏ−Ｐ)ブロック２６５、サイズＮ高速フーリエ変換(Ｆａｓｔ Ｆｏｕｒｉｅｒ Ｔｒａｎｓｆｏｒｍ；ＦＦＴ)ブロック２７０、並列対直列(Ｐ−ｔｏ−Ｓ)ブロック２７５、及びチャンネルデコーディング及び復調ブロック２８０を含む。
【００３５】
送信経路２００で、チャンネルコーディング及び変調ブロック２０５は情報ビットのセットを受信し、コーディング(例えば、コンボリューショナル(ｃｏｎｖｏｌｕｔｉｏｎａｌ)、ターボ又は低密度パリティーチェック(ｌｏｗ−ｄｅｎｓｉｔｙ ｐａｒｉｔｙ ｃｈｅｃｋ、ＬＤＰＣ)コーディング)を適用し、周波数ドメイン変調シンボルのシーケンスを生成するため(例えば、ＱＰＳＫ(Ｑｕａｄｒａｔｕｒｅ Ｐｈａｓｅ Ｓｈｉｆｔ Ｋｅｙｉｎｇ)又はＱＡＭ(Ｑｕａｄｒａｔｕｒｅ Ａｍｐｌｉｔｕｄｅ Ｍｏｄｕｌａｔｉｏｎ)を用いて)入力ビットを変調させる。直列対並列ブロック２１０はＮ個の並列シンボルストリームを生成するために直列変調されたシンボルを並列データで変換して(例えば、デマルチプレクシングして)、ここで、ＮはｇＮＢ１０２及びＵＥ１１６で用いられるＩＦＦＴ／ＦＦＴサイズである。サイズＮ ＩＦＦＴブロック３１５は時間ドメイン出力信号を生成するためにＮ個の並列シンボルストリーム上でＩＦＦＴ演算を行う。並列対直列ブロック２２０は直列時間のドメイン信号を生成するためにサイズＮ ＩＦＦＴブロック３１５からの並列時間ドメイン出力シンボルを変換する(例えば、マルチプレクシングする)。‘付加サイクリックプレフィックス ’ブロック２２５はサイクリックプレフィックスを時間ドメイン信号に挿入する。ＵＣ２３０は無線チャンネルを通じる送信のために‘付加サイクリックプレフィックス ’ブロック２２５の出力をＲＦ周波数で変調させる(例えば、アップ変換させる)。信号はさらにＲＦ周波数で変換する前に基底帯域でフィルタリングされることができる。
【００３６】
ｇＮＢ１０２からの送信されたＲＦ信号は無線チャンネルをパスした後のＵＥ１１６に到逹し、ｇＮＢ１０２での動作との逆動作がＵＥ１１６で行われる。ＤＣ２５５は受信された信号を基底帯域周波数でダウン変換させて、‘消去サイクリックプレフィックス’ブロック２６０は直列時間ドメイン基底帯域信号を生成するためにサイクリックプレフィックスを消去する。直列対並列ブロック２６５は時間ドメイン基底帯域信号を並列時間ドメイン信号で変換させる。サイズＮ ＦＦＴブロック２７０はＮ個の並列周波数ドメイン信号を生成するためにＦＦＴアルゴリズムを行う。並列対直列ブロック２７５は並列周波数ドメイン信号を一連の変調されたデータシンボルで変換させる。チャンネルデコーディング及び復調ブロック２８０は元々の入力データストリームを復元するために変調されたシンボルを復調してデコーディングする。
【００３７】
以下、より詳しく説明されるように、送信経路２００又は受信経路２５０はマルチプレクシングされたＣＳＩ報告のためのシグナリングを行うことができる。ｇＮＢ１０１−１０３のそれぞれはダウンリンクでＵＥ１１１−１１６で送信することと類似の送信経路２００を具現することができ、アップリンクでＵＥ１１１−１１６から受信することと類似の受信経路２５０を具現することができる。類似に、ＵＥ１１１−１１６のそれぞれはアップリンクでｇＮＢ１０１−１０３で送信するための送信経路２００を具現することができ、ダウンリンクでｇＮＢ１０１−１０３から受信するための受信経路２５０を具現することができる。
【００３８】
図２Ａ及び２ｂの構成要素のそれぞれはハードウェアのみを用いるかハードウェア及びソフトウェア／ファームウェアの組み合せを用いて具現されることができる。特定例として、図２Ａ及び２ｂの構成要素の少なくとも一部はソフトウェアで具現されることができるが、他の構成要素は構成可能なハードウェア又はソフトウェア及び構成可能なハードウェアの混合によって具現されることができる。例えば、ＦＦＴブロック２７０及びＩＦＦＴブロック３１５は構成可能なソフトウェアアルゴリズムとして具現されることができ、ここで、サイズＮの値は具現によって修正されることができる。
【００３９】
さらに、ＦＦＴ及びＩＦＦＴを用いることで説明されたが、これはただ説明のためのことであり、本開示の範囲を制限することで解釈されてはいけない。ＤＦＴ(Ｄｉｓｃｒｅｔｅ Ｆｏｕｒｉｅｒ Ｔｒａｎｓｆｏｒｍ)及びＩＤＦＴ(Ｉｎｖｅｒｓｅ Ｄｉｓｃｒｅｔｅ Ｆｏｕｒｉｅｒ Ｔｒａｎｓｆｏｒｍ)関数のような他のタイプの変換が用いられることができる。変数Ｎの値はＤＦＴ及びＩＤＦＴ関数に対して任意の定数(例えば、１、２、３、４等)であれば良いが、変数Ｎの値はＦＦＴ及びＩＦＦＴ関数に対して２の累乗である任意の整数(例えば、１、２、４、８、１６等)であれば良いことが理解されるだろう。
【００４０】
図２Ａ及び図２Ｂは無線送受信経路の例を示すが、図２Ａ及び図２Ｂに対する多様な変更が成ることができる。例えば、図２Ａ及び図２Ｂでの多様な構成要素は組み合せたり、より細分化されたり、省略されることができ、特定要求によって付加的な構成要素が付加することができる。また、図２Ａ及び図２Ｂは無線ネットワークで用いられることができる送受信経路のタイプの例を例示するためのことである。他の適切なアーキテクチャーは無線ネットワークで無線通信をサポートするのに用いられることができる。
【００４１】
図３Ａは、本開示による例示的なＵＥ１１６を示す。図３Ａに示されたＵＥ１１６の実施形態はただ例示のためのことであり、図１のＵＥ１１１−１１５は同一又は類似の構成を有することができる。しかし、ＵＥは多様な構成で提供され、図３Ａは本開示の範囲をＵＥの任意の特定具現で制限しない。
【００４２】
ＵＥ１１６はアンテナ３０５、無線周波数(ＲＦ)送受信機３１０、送信(ＴＸ)処理回路３１５、マイクロフォン３２０及び受信(ＲＸ)処理回路３２５を含む。ＵＥ１１６はさらにスピーカー３３０、プロセッサ３４０、入出力(Ｉ／Ｏ)インターフェース３４５、入力３５０、ディスプレー３５５及びメモリー３６０を含む。メモリー３６０はＯＳ(ｏｐｅｒａｔｉｎｇ ｓｙｓｔｅｍ)プログラム３６１及び一つ以上のアプリケーション３６２を含む。
【００４３】
ＲＦ送受信機３１０は、アンテナ３０５から、図１の無線ネットワーク１００のｇＮＢによって送信された入る(ｉｎｃｏｍｉｎｇ)ＲＦ信号を受信する。ＲＦ送受信機３１０は中間周波数(ｉｎｔｅｒｍｅｄｉａｔｅ ｆｒｅｑｕｅｎｃｙ、ＩＦ)又は基底帯域信号を生成するように入るＲＦ信号をダウン変換させる。ＩＦ又は基底帯域信号は基底帯域又はＩＦ信号をフィルタリング、デコーディング及び／又はデジタル化することによって処理された基底帯域信号を生成するＲＸ処理回路３２５で送信される。ＲＸ処理回路３２５は処理された基底帯域信号(例えば、音声データ)をスピーカー３３０又は(ウェブブラウジングデータのような)追加の処理のためのプロセッサ３４０で送信する。
【００４４】
ＴＸ処理回路３１５はマイクロフォン３２０からアナログ又はデジタル音声データを受信したり、プロセッサ３４０から(ウェブデータ、電子メール又は対話形ビデオゲームデータのような)他の出る(ｏｕｔｇｏｉｎｇ)基底帯域データを受信したりする。ＴＸ処理回路３１５は処理された基底帯域又はＩＦ信号を生成するために出る(ｏｕｔｇｏｉｎｇ)基底帯域データをエンコーディング、マルチプレクシング及び／又はデジタル化する。ＲＦ送受信機３１０はＴＸ処理回路３１５から出る処理された基底帯域又はＩＦ信号を受信し、基底帯域又はＩＦ信号をアンテナ３０５を介して送信されるＲＦ信号でアップ変換する。
【００４５】
プロセッサ３４０は、一つ以上のプロセッサ又は他の処理デバイスを含み、ＵＥ１１６の全体動作を制御するためにメモリー３６０に記憶されたＯＳプログラム３６１を行うことができる。例えば、プロセッサ３４０はよく知られた原理によってＲＦ送受信機３１０、ＲＸ処理回路３２５及びＴＸ処理回路３１５によって順方向チャンネル信号の受信及び逆方向チャンネル信号の送信を制御することができる。一部実施形態で、プロセッサ３４０は少なくとも一つのマイクロプロセッサー又はマイクロ制御機を含む。
【００４６】
プロセッサ３４０は、さらに本開示の実施形態で説明されたように本開示の実施形態で説明されたシステムに対するＣＱＩ測定及び報告のための動作のようにメモリー３６０に常在する他のプロセス及びプログラムを行うことができる。プロセッサ３４０は実行プロセスによって要求されるようにメモリー３６０内外でデータを移動させることができる。一部実施形態で、プロセッサ３４０はＯＳプログラム３６１に基づくかｇＮＢ又はオペレーターから受信された信号に応答してアプリケーション３６２を行うように構成される。プロセッサ３４０はさらにラップトップコンピューター及びハンドヘルドコンピューターのような他のデバイスに接続する能力をＵＥ１１６に提供する。Ｉ／Ｏインターフェース３４５はこのようなアクセサリーとプロセッサ３４０の間の通信経路である。
【００４７】
プロセッサ３４０は、さらに入力３５０(例えば、キーパッド、タッチスクリーン、ボタンなど)及びディスプレー３５５に結合される。ＵＥ１１６のオペレーターは入力３５０を用いてデータをＵＥ１１６に入力することができる。ディスプレー３５５は液晶ディスプレー、又は例えば、ウェブサイトからテキスト及び／又は少なくとも制限されたグラフィックをレンダリング(ｒｅｎｄｅｒｉｎｇ)することができる他のディスプレーであれば良い。
【００４８】
メモリー３６０は、プロセッサ３４０に結合される。メモリー３６０の部分はＲＡＭ(ｒａｎｄｏｍ ａｃｃｅｓｓ ｍｅｍｏｒｙ)を含むことができ、メモリー３６０の他の部分はフラッシュメモリー又は他のＲＯＭ(ｒｅａｄ−ｏｎｌｙ ｍｅｍｏｒｙ)を含むことができる。
【００４９】
以下、より詳しく説明されるように、ＵＥ１１６はマルチプレクシングされたＣＳＩ報告のためのシグナリング及び計算を行うことができる。図３ＡがＵＥ１１６の一例を示すが、図３Ａに対する多様な変更が成ることができる。例えば、図３Ａでの多様な構成要素は組み合せたり、より細分化さたり、省略されたりすることができ、特定要求によって付加的な構成要素が付加することができる。特定例として、プロセッサ３４０は一つ以上の中央処理ユニット(ｃｅｎｔｒａｌ ｐｒｏｃｅｓｓｉｎｇ ｕｎｉｔ、ＣＰＵ)及び一つ以上のグラフィック処理ユニット(ｇｒａｐｈｉｃｓ ｐｒｏｃｅｓｓｉｎｇ ｕｎｉｔ、ＧＰＵ)のような多数のプロセッサに分割されることができる。また、図３Ａは移動電話又はスマートフォンとして構成されたＵＥ１１６を示すが、ＵＥは他のタイプの移動又は固定デバイスとして動作するように構成されることができる。
【００５０】
図３Ｂは、本開示による例示的なｇＮＢ１０２を示す。図３Ｂに示されたｇＮＢ１０２の実施形態はただ例示のためのことであり、図１の他のｇＮＢは同一であるか類似の構成を有することができる。しかし、ｇＮＢは多様な構成で提供され、図３Ｂは本開示の範囲をｇＮＢの任意の特定具現で制限しない。ｇＮＢ１０１及びｇＮＢ１０３はｇＮＢ１０２と同一であるか類似の構造を含むことができる。
【００５１】
図３Ｂに示されたように、ｇＮＢ１０２は多数のアンテナ３７０ａ−３７０ｎ、多数のＲＦ送受信機３７２ａ−３７２ｎ、送信(ＴＸ)処理回路３７４及び受信(ＲＸ)処理回路３７６を含む。特定実施形態で、一つ以上の多数のアンテナ３７０ａ−３７０ｎは２Ｄ アンテナアレイを含む。ｇＮＢ１０２はさらに制御機／プロセッサ３７８、メモリー３８０及びバックホールを又はネットワークインターフェース３８２を含む。
【００５２】
ＲＦ送受信機３７２ａ−３７２ｎは、アンテナ３７０ａ−３７０ｎから、ＵＥ又は他のｇＮＢによって送信された信号のような入るＲＦ信号を受信する。ＲＦ送受信機３７２ａ−３７２ｎはＩＦ又は基底帯域信号を生成するように入るＲＦ信号をダウン変換させる。ＩＦ又は基底帯域信号は基底帯域又はＩＦ信号をフィルタリング、デコーディング及び／又はデジタル化することによって処理された基底帯域信号を生成するＲＸ処理回路３７６で送信される。ＲＸ処理回路３７６は処理された基底帯域信号を追加の処理のための制御機／プロセッサ２２５で送信する。
【００５３】
ＴＸ処理回路３７４は制御機／プロセッサ３７８から(音声データ、ウェブデータ、電子メール又は対話形ビデオゲームデータのような)アナログ又はデジタルデータを受信する。ＴＸ処理回路３７４は処理された基底帯域又はＩＦ信号を生成するために出る基底帯域データをエンコーディング、マルチプレクシング及び／又はデジタル化する。ＲＦ送受信機３７２ａ−３７２ｎはＴＸ処理回路３７４から出る処理された基底帯域又はＩＦ信号を受信し、基底帯域又はＩＦ信号をアンテナ３７０ａ−３７０ｎを介して送信されるＲＦ信号でアップ変換する。
【００５４】
制御機／プロセッサ３７８はｇＮＢ１０２の全体動作を制御する一つ以上のプロセッサ又は他の処理デバイスを含むことができる。例えば、制御機／プロセッサ３７８はよく知られた原理によって、ＲＦ送受信機３７２ａ−３７２ｎ、ＲＸ処理回路３７６及びＴＸ処理回路３７４によって順方向チャンネル信号の受信及び逆方向チャンネル信号の送信を制御することができる。制御機／プロセッサ３７８はさらに進歩された無線通信機能のような付加的な機能をサポートすることができる。一部実施形態で、制御機／プロセッサ３７８は少なくとも一つのマイクロプロセッサー又はマイクロ制御機を含む。
【００５５】
制御機／プロセッサ３７８はさらにＯＳのようなメモリー３８０に常在するプログラム及び他のプロセスを行うことができる。制御機／プロセッサ３７８はさらに本開示の実施形態で説明されたように２Ｄアンテナアレイを有するシステムに対するチャンネル品質測定及び報告をサポートすることができる。一部実施形態で、制御機／プロセッサ３７８はウェブＲＴＣのようなエンティティーの間の通信をサポートする。制御機／プロセッサ３７８は実行プロセスによって要求されるようにメモリー３８０内外でデータを移動させることができる。
【００５６】
制御機／プロセッサ３７８はさらにバックホール又はネットワークインターフェース３８２に結合される。バックホール又はネットワークインターフェース３８２はｇＮＢ１０２がバックホール接続又はネットワークを介して他のデバイス又はシステムと通信するように許容する。バックホール又はネットワークインターフェース３８２は任意の適切な有線又は無線接続を通じる通信をサポートすることができる。例えば、ｇＮＢ１０２が(５Ｇ又は新しい無線アクセス技術又はＮＲ、ＬＴＥ又はＬＴＥ−Ａをサポートすることとような)セルラー通信システムの部分として具現される時、バックホール又はネットワークインターフェース３８２はｇＮＢ１０２が有線又は無線バックホール接続を介して他のｇＮＢと通信するように許容することができる。ｇＮＢ１０２がアクセスポイントとして具現される時、バックホール又はネットワークインターフェース３８２はｇＮＢ１０２が有線又は無線ローカル領域ネットワーク又は有線又は無線接続を介して(インターネットのような)より大きいネットワークで通信するように許容することができる。バックホール又はネットワークインターフェース３８２はイーサネット（登録商標）又はＲＦ送受信機のような有線又は無線接続を通じる通信をサポートする任意の適切な構造を含む。
【００５７】
メモリー３８０は制御機／プロセッサ３７８に結合される。メモリー３８０の一部はＲＡＭを含むことができ、メモリー３８０の他の部分はフラッシュメモリー又は他のＲＯＭを含むことができる。特定実施形態で、ＢＩＳアルゴリズムのような複数の命令語はメモリーに記憶される。複数の命令語は制御機／プロセッサ３７８がＢＩＳプロセスを行うようにし、ＢＩＳアルゴリズムによって決定された少なくとも一つの干渉信号を引き算した後に受信された信号をデコーディングするようにするように設定される。
【００５８】
以下、より詳しく説明されるように、(ＲＦ送受信機３７２ａ−３７２ｎ、ＴＸ処理回路３７４及び／又はＲＸ処理回路３７６を用いて具現された)ｇＮＢ１０２の送受信経路はマルチプレクシングされたＣＳＩを受信してデコーディングする。
【００５９】
図３Ｂは、ｇＮＢ１０２の一例を示すが、図３Ｂに対する多様な変更が成ることができる。例えば、ｇＮＢ１０２は図３Ａに示された任意の数のそれぞれの構成要素を含むことができる。特定例として、アクセスポイントは多数のバックホール又はネットワークインターフェース３８２を含むことができ、制御機／プロセッサ３７８は相違するネットワークアドレスの間でデータをラウティングするラウティング機能をサポートすることができる。他の特定例として、ＴＸ処理回路３７４の単一インスタンス(ｉｎｓｔａｎｃｅ)及びＲＸ処理回路３７６の単一インスタンスを含むことに示されるが、ｇＮＢ１０２は(ＲＦ送受信機当たり１つであるような)それぞれの多数のインスタンスを含むことができる。
【００６０】
Ｒｅｌ．１３ＬＴＥはｅＮＢが(６４又は１２８のような)多い数のアンテナ要素を備えることができる最大１６個のＣＳＩ−ＲＳアンテナポートをサポートする。この場合に、複数のアンテナ要素は一つのＣＳＩ−ＲＳポート上にマッピングされる。さらに、Ｒｅｌ．１４ＬＴＥでは最大３２個のＣＳＩ−ＲＳポートがサポートされるだろう。５Ｇのような次世代セルラーシステムの場合、ＣＳＩ−ＲＳポートの最大数はほとんど同様に維持されることで予想される。
【００６１】
ｍｍＷａｖｅ帯域の場合、アンテナ要素の数が与えられたフォーム係数(ｆｏｒｍ ｆａｃｔｏｒ)に対してより大きくなることもあるが、デジタルプリコーディングされたポートの数に相応するＣＳＩ−ＲＳポートの数は図４の実施形態４００に示されたように(ｍｍＷａｖｅ周波数で多くの数のＡＤＣ／ＤＡＣを設置する可能性のような)ハードウェア制約によって制限されるきらいがある。この場合に、一つのＣＳＩ−ＲＳポートはアナログ位相シフター４０１のバンク(ｂａｎｋ)によって制御されることができる多数のアンテナ要素でマッピングされる。その後、一つのＣＳＩ−ＲＳポートはアナログビームフォーミング４０５を介して狭いアナログビームを生成する一つのサブアレイに相応することができる。このようなアナログビームはシンボル又はサブフレーム又はスロットにかけて位相シフターバンクを変化させることによってより広い範囲の角度４２０にかけてスイーピングするように設定されることができる(ここで、サブフレーム又はスロットはシンボルのコレクション(ｃｏｌｌｅｃｔｉｏｎ)を含む)。(ＲＦチェーンの数と同一な)サブアレイの数はＣＳＩ−ＲＳポートの数ＮＣＳＩ−ＰＯＲＴと同一である。
【００６２】
デジタルビームフォーミングユニット４１０はＮＣＳＩ−ＰＯＲＴアナログビームにかけて線形組み合せを行ってプリコーディング利得をさらに増加させる。アナログビームは広帯域(したがって、周波数選択的ではない)であるが、デジタルプリコーディングは周波数サブバンド又はリソースブロックにかけて変化されることができる。
【００６３】
デジタルプリコーディングを可能にするようにするために、ＣＳＩ−ＲＳの効率的な設計が重要な要素である。このような理由で、Ｒｅｌ．１３ＬＴＥでは３つタイプのＣＳＩ−ＲＳ測定動作に相応する３つのタイプのＣＳＩ報告メカニズム、すなわち、１）非−プリコーディングされたＣＳＩ−ＲＳに相応する“ＣＬＡＳＳ Ａ”ＣＳＩ報告；２)ビームフォーミングが適用された(ｂｅａｍｆｏｒｍｅｄ)ＵＥ特定ＣＳＩ−ＲＳに相応するＫ＝１ ＣＳＩ−ＲＳリソースへの“ＣＬＡＳＳ Ｂ”報告；及び３)ビームフォーミングが適用されたセル特定ＣＳＩ−ＲＳに相応するＫ＞１ＣＳＩ−ＲＳリソースへの“ＣＬＡＳＳ Ｂ”報告がサポートされる。非−プリコーディングされた(ｎｏｎ−ｐｒｅｃｏｄｅｄ、ＮＰ)ＣＳＩ−ＲＳの場合、ＣＳＩ−ＲＳポートとＴＸＲＵ間のセル特定１対１マッピングが用いられる。ここで、相違するＣＳＩ−ＲＳポートは同一な広いビーム幅及び方向を有し、したがって一般的にセルが広いカバレッジを有する。ビームフォーミングが適用されたＣＳＩ−ＲＳの場合、セル特定又はＵＥ特定のビームフォーミング動作はＮＺＰ(ｎｏｎ−ｚｅｒｏ−ｐｏｗｅｒ)ＣＳＩ−ＲＳリソース(多数のポートを含み)上に適用される。ここで、(少なくとも与えられた時間／周波数で)ＣＳＩ−ＲＳポートは狭いビーム幅を有し、したがって、セルが広いカバレッジ有せず、(少なくともｅＮＢ観点から)少なくとも一部ＣＳＩ−ＲＳポート−リソース組み合せは相違するビーム方向を有する。
【００６４】
ＬＴＥで、送信階層の数によって、最大２個のコードワードは空間マルチプレクシングのための(それぞれＰＤＳＣＨ又はＰＤＣＨのようなＤＬデータチャンネル及びＰＵＳＣＨ又はＰＵＣＨのようなＵＬデータチャンネル上の)ＤＬ及びＵＬデータ送信のために用いられる。Ｌ＝１階層に対し、一つのコードワードは一つの階層にマッピングされる。Ｌ＞１階層に対し、２個のコードワードのそれぞれはＬ個の階層(ランク−Ｌ)が２個のコードワードにかけてほとんど均等に分割される少なくとも一つの階層にマッピングされる。さらに、一つのコードワードはさらに特に２個のコードワードのうちの一つだけが再送信される時に一つの以上(＞１の階層にマッピングされることができる。
【００６５】
コードワード(ＣＷ)及びＭＭＳＥ−ＳＩＣ(連続的な干渉除去を有するＭＭＳＥ)受信機当たりＭＣＳ(ｍｏｄｕｌａｔｉｏｎ−ａｎｄ−ｃｏｄｉｎｇ−ｓｃｈｅｍｅ)適応を容易にすることが有利であるが、単一ＣＷマッピングに比べて相当なオーバーヘッドが発生する。ＤＬオーバーヘッドは２個の固定されたＭＣＳフィールド及び２個の固定されたＮＤＩ−ＲＶ(ＤＬ ＨＡＲＱ関連)フィールドによって付加的なＤＣＩペイ・ロードから発生する。ＵＬオーバーヘッドはランク＞１に対する２個のＣＱＩ(広帯域ＣＱＩに対する全体４ビット＋デルタ３ビット及びサブバンドＣＱＩに対する２倍(２ｘ)のオーバーヘッド)及びランク＞１に対する２個のＤＬ ＨＡＲＱ−ＡＣＫに対する必要から発生する。ここには再送信の場合に一つ以上の階層マッピング方式を収容しなければならない複雑性が付加する。さらに、ＮＣ−ＪＴ(ｎｏｎ−ｃｏｈｅｒｅｎｔ ｊｏｉｎｔ ｔｒａｎｓｍｉｓｓｉｏｎ)のような分散型ＭＩＭＯが５Ｇ ＮＲのための設計要求事項に含まれる時、ＵＥ当たりＤＬ及びＵＬ送信のために用いられるコードワード(ＣＷ)の数はＴＲＰの数によって増加することができる。したがって、ＵＥ当たりＰＤＳＣＨ／ＰＵＳＣＨ割り当てごとにただ一つのＣＷを用いることはＮＲ、少なくとも最大ランク−２送信、又は最大ランク−４送信に有利である。そうではなければ、ＵＥ当たりＰＤＳＣＨ／ＰＵＳＣＨ割り当てごとに２個のＣＷがより高いランクに用いられることができる。選択的に、ＵＥ当たりＰＤＳＣＨ／ＰＵＳＣＨ割り当てごとに一つのＣＷがすべてのランクに用いられることができる。
【００６６】
さらに、ＬＴＥでのＰ−ＣＳＩ(ｐｅｒｉｏｄｉｃ ＣＳＩ)報告は多数のスロット／サブフレームにかけて成る。これにより(ＵＬサブフレーム／スロットの使用可能性が条件付きであるので)ＴＤＤ及びＬＡＡに不適切な(ドロッピング(ｄｒｏｐｐｉｎｇ)による)複雑な優先順位規則及びインタ−サブフレーム／スロット従属性(ｉｎｔｅｒ−ｓｕｂｆｒａｍｅ／ｓｌｏｔ ｄｅｐｅｎｄｅｎｃｉｅｓ)が生成する。このようなメカニズムはエラー電波及びステールをＣＳＩ(ｓｔａｌｅ ＣＳＩ)の影響を受けやすい。主な理由は１）ＰＵＣＣＨフォーマット２が小さすぎてワンショット(ｏｎｅ−ｓｈｏｔ)ＣＳＩ報告を搬送することができないということ、２)ＲＩ従属ＣＱＩペイ・ロード(最大２個のＣＷ使用による)、３)ＲＩ従属ＰＭＩペイ・ロードがある。
【００６７】
ＬＴＥ設計のまた他の短所はＣＱＩ及びＰＭＩからＲＩ(及びＣＲＩ)を別個でエンコーディングすることにある。これはＣＱＩ及びＰＭＩに対するペイ・ロードがランクに従属するので必要である。ＲＩに対するペイ・ロードが少なく、ＲＩが(ＣＱＩ及びＰＭＩの正しいデコーディングを保障するため)ＣＱＩ及びＰＭＩと比べてより保護される必要があるので、ＲＩはさらにＣＱＩ及びＰＭＩと相違するようにマッピングされる。しかし、このような力強い保護にもかかわらず、ｇＮＢがＲＩ(及びＣＲＩ)デコーディングが(ＣＲＣの不在によって)成功したか否かをチェックするメカニズムがない。
【００６８】
したがって、単一コードワード(ＣＷ)がすべてのＬ≧１送信階層にマッピングされる時のＣＳＩ及びこの連関されたＵＣＩ(ｕｐｌｉｎｋ ｃｏｎｔｒｏｌ ｉｎｆｏｒｍａｔｉｏｎ)マルチプレクシング方式に対する異なる設計が必要である。本開示は多くの構成要素を含む。ここで、ＵＣＩはＣＱＩ(ｃｈａｎｎｅｌ ｑｕａｌｉｔｙ ｉｎｄｉｃａｔｏｒ)、ＰＭＩ(ｐｒｅｃｏｄｉｎｇ ｍａｔｒｉｘ ｉｎｄｅｘ)、ＲＩ(ｒａｎｋ ｉｎｄｉｃａｔｏｒ)及びＣＲＩ(ＣＳＩ−ＲＳ ｒｅｓｏｕｒｃｅ ｉｎｄｅｘ／ｉｎｄｉｃａｔｏｒ)のようなＣＳＩ獲得と連関された報告パラメーターを含む。他のＣＳＩパラメーターがさらに含まれることができる。別に言及されない限り、このようなＵＣＩはＨＡＲＱ−ＡＣＫを含まない。本開示でこのようなＵＣＩはさらに例示のためにＣＳＩ−ＵＣＩとして指称されることができる。
【００６９】
本開示はＵＣＩ生成及びマルチプレクシングとＣＳＩ報告ができるようにするための次の構成要素を含む。本開示の第１構成要素は周波数ドメインのＣＳＩ報告ユニットと関連がある。第２構成要素はＣＲＩと関連がある。第３構成要素は周期的及び／又は半永久的ＣＳＩ報告(それぞれのＰ−ＣＳＩ及び／又はＳＰ−ＣＳＩ)と関連がある。第４構成要素は非周期的ＣＳＩ報告(Ａ−ＣＳＩ)と関連がある。
【００７０】
ＣＰ−ＯＦＤＭ(ｃｙｃｌｉｃ ｐｒｅｆｉｘ ＯＦＤＭ)波形だけではなくＤＦＴ−ＳＯＦＤＭ(ＤＦＴ−ｓｐｒｅａｄ ＯＦＤＭ)及びＳＣ−ＦＤＭＡ(ｓｉｎｇｌｅ−ｃａｒｒｉｅｒ ＦＤＭＡ)波形で次のすべての構成要素及び実施形態がＵＬ送信に適用可能である。さらに、時間的スケジューリングユニットが一つのサブフレーム(一つ又は多数のスロットを含むことができる)又は一つのスロットである時に次のすべての構成要素及び実施形態がＵＬ送信に適用可能である。
【００７１】
第１構成要素(すなわち、ＣＳＩ報告ユニット)の場合、ＣＳＩ報告の周波数解像度(報告細分性(ｒｅｐｏｒｔｉｎｇ ｇｒａｎｕｌａｒｉｔｙ))及びスパン(ｓｐａｎ)(報告帯域幅)はそれぞれ周波数“サブバンド”及び“ＣＳＩ報告帯域(ＣＳＩ ｒｅｐｏｒｔｉｎｇ ｂａｎｄ、ＣＲＢ)”の観点で定義されることができる。“ＣＳＩ報告帯域”という用語は例示のために用いられる。同一な機能セットを示す他の用語がさらに用いられることができる。
【００７２】
ＣＳＩ報告のためのサブバンドはＣＳＩ報告のための最も小さい周波数単位を示す連続的なＰＲＢのセットとして定義される。サブバンドでのＰＲＢの数は上位階層／ＲＲＣシグナリングを介して半静的に設定されるか、Ｌ１ ＤＬ制御シグナリング又はＭＡＣ制御要素(ＭＡＣ ｃｏｎｔｒｏｌ ｅｌｅｍｅｎｔ、ＭＡＣ ＣＥ)を介して動的に設定されたＤＬシステム帯域幅の与えられた値に対して固定されることができる。サブバンドでのＰＲＢの数はＣＳＩ報告設定に含まれることができる。
【００７３】
“ＣＳＩ報告帯域”は連続的又は非連続的なサブバンドのセット／コレクションとして定義され、ここでＣＳＩ報告が行われる。例えば、ＣＳＩ報告帯域はＤＬシステム帯域幅内のすべてのサブバンドを含むことができる。これはさらに“超帯域(ｆｕｌｌ−ｂａｎｄ)”と命名されることができる。選択的に、ＣＳＩ報告帯域はＤＬシステム帯域幅内のサブバンドのコレクションのみを含むことができる。これはさらに“部分帯域”と命名されることができる。
【００７４】
“ＣＳＩ報告帯域”という用語は機能を示すための例にだけ用いられる。“ＣＳＩ報告サブバンドセット”又は“ＣＳＩ報告帯域幅”のような他の用語がさらに用いられることができる。
【００７５】
ＵＥ構成の観点で、ＵＥは少なくとも一つのＣＳＩ報告帯域で構成されることができる。このような構成は(上位階層シグナリング又はＲＲＣを介して)半静的又は(ＭＡＣ ＣＥ又はＬ１ ＤＬ制御シグナリングを介して)動的であれば良い。多数(Ｎ)のＣＳＩ報告帯域(例えば、ＲＲＣシグナリングを介して)から構成される時、ＵＥはｎ≦ＮＣＳＩ報告帯域と連関されたＣＳＩを報告することができる。例えば、＞６ＧＨｚの大きいシステム帯域幅は多数のＣＳＩ報告帯域を要することができる。ｎの値は(上位階層シグナリング又はＲＲＣを介して)半静的に設定されたり(ＭＡＣ ＣＥ又はＬ１ ＤＬ制御シグナリングを介して)動的に設定されたりすることができる。選択的に、ＵＥはＵＬチャンネルを介して勧奨されたｎの値を報告することができる。
【００７６】
したがって、ＣＳＩパラメーター周波数細分性は次のようにＣＳＩ報告帯域別で定義されることができる。ＣＳＩパラメーターはＣＳＩ報告帯域内のすべてのＭｎサブバンドに対して一つのＣＳＩパラメーターがある時にのＭｎサブバンドを有したＣＳＩ報告帯域に対する“単一”報告に設定される。一つのＣＳＩパラメーターがＣＳＩ報告帯域内のそれぞれのＭｎサブバンドに対して報告される時、ＣＳＩパラメーターはＭｎサブバンドを有するＣＳＩ報告帯域に対して“サブバンド”で設定される。
【００７７】
図５は、ＣＳＩ報告帯域設定の何種類例を示す。このような例で、一つのサブバンドは４個のＰＲＢを含む。ＣＳＩ報告帯域設定５００で、ＵＥは全体ＤＬシステム帯域幅(ＮＳＢサブバンドを含み)をスパニング(ｓｐａｎｎｉｎｇ)する一つのＣＳＩ報告帯域０(５０１)で設定される。ＣＳＩ報告帯域設定５５０で、ＵＥは２個のＣＳＩ報告帯域で設定される。第１ＣＳＩ報告帯域０(５５１)は３個のサブバンドを含むが、第２ＣＳＩ報告帯域１(５５２)は２個のサブバンドを含む。ＣＳＩ報告帯域設定５５０に対し、ＵＥは報告帯域５５１又は５５２又はいずれもに対してＣＳＩを報告するようにさらに構成されたりリクエストされたりすることができる。２個の報告帯域は一つの共通／共同ＣＳＩ報告設定又は２個の別個のＣＳＩ報告設定と連関されることができる。結果的に、２個のＣＳＩ報告帯域はＣＳＩ獲得のための異なる設定(例えば、周波数細分性、周期的／半永久的／非周期的)又は相違するＲＳセッティングと連関されることができる。
【００７８】
第２構成要素(すなわち、ＣＲＩ又はＣＳＩ−ＲＳリソースインデックス報告)の場合、ＵＥは一つのＣＳＩ−ＲＳ又はＲＳセッティング内でＫ≧１ＮＺＰ(ｎｏｎ−ｚｅｒｏ−ｐｏｗｅｒ)ＣＳＩ−ＲＳリソースで設定されることができる。Ｋ＞１である時、ＵＥはＣＲＩ報告で設定されることができる。ＣＲＩは“単一”報告、すなわち、ＣＳＩ報告帯域に対する一つのＣＲＩとして設定されることができる。ここで、ＣＲＩはＫ個のＣＳＩ−ＲＳリソースのうちでＫＡ(≦Ｋ)の選択を勧奨するインジケーターである。ＣＲＩはビーム管理だけではなくＣＳＩ獲得のために用いられることができる。ＣＲＩ報告にはさらに少なくとも一つのＣＳＩ−ＲＳＲＰ(ＣＳＩ−ＲＳ受信された電力、又は選択的に“ビーム強度インジケーター”又は“ビーム−ＲＳＲＰ”という)が伴うことができ、ここでそれぞれのＣＳＩ−ＲＳＲＰは少なくとも一つのＣＳＩ−ＲＳリソースに相応する。
【００７９】
ＵＥがＣＲＩ報告で設定される時、ＣＲＩ報告のためにＣＳＩ−ＲＳリソースサブセットを設定する時の一部実施形態(Ａｌｔ １−１、１−２、２−１、２−２、３−１及び３−２)は表１で説明されることができる。このような実施形態のそれぞれは独立的に用いられることができる。選択的に、このような実施形態のうちの少なくとも２個は互いに組み合わせて用いることができる(例えば、Ａｌｔ １−１又は１−２のうちのういずれか一つはＡｌｔ ２−１又は２−２のうちのいずれか一つと組み合わせ)。オプション実施形態は一つのＲＳセッティングで上位階層(ＲＲＣ)シグナリングを介してＫＴＯＴＮＺＰ ＣＳＩ−ＲＳリソースで設定されたＵＥで開始する。
【００８０】
【表１】
2020502922.tif 000003
【００８１】
ＵＥがＣＲＩ報告で設定される時、ＣＲＩ報告はＣＱＩ、ＰＭＩ及び／又はＲＩのような他のＣＳＩパラメーターでマルチプレクシングされることができる。このような問題に係るいくつかの実施形態が後述されることができる。
【００８２】
一実施形態(ＭＵＸ−０)で、ＣＲＩは(別個で他のＣＳＩパラメーターから)単独で報告され、ＣＱＩ／ＰＭＩ／ＲＩと連関されたことから(ＬＴＥでＣＳＩ−ＲＳリソース設定と類似な)相違するＲＳ／ＣＳＩ−ＲＳから測定される。ＣＲＩ計算／報告に用いられるＲＳセッティングはＫ＞１個のＮＺＰ ＣＳＩ−ＲＳリソースを含むことができる。ＣＱＩ／ＰＭＩ／ＲＩ計算／報告に用いられる別個のＲＳセッティングは１個のＮＺＰ ＣＳＩ−ＲＳリソースだけを含むことができる。この場合に、ＣＲＩはＣＱＩ、ＰＭＩ及びＲＩのうちの少なくとも一つから相違するサブフレーム／スロットで報告される。
【００８３】
他の実施形態(ＭＵＸ−１)で、ＣＲＩはＣＱＩ、ＰＭＩ及び／又はＲＩでマルチプレクシングされて(共に報告されて)、ＣＱＩ／ＰＭＩ／ＲＩと連関されたＲＳ／ＣＳＩ−ＲＳセッティングから測定される。このようなＲＳ／ＣＳＩ−ＲＳセッティングはＫ＞１個のＮＺＰ ＣＳＩ−ＲＳリソースを含むことができる。この場合に、ＣＲＩはＣＱＩ／ＰＭＩ／ＲＩと同一なサブフレーム／スロットで報告されることができる。ＣＲＩがＫＡ＝１で設定される場合、ＣＱＩ／ＰＭＩ／ＲＩはＫ＞１個のＮＺＰ ＣＳＩ−ＲＳリソースのうちの一つだけを測定することによって計算される。選択的に、ＫＡ＞１であれば、ＣＱＩ／ＰＭＩ／ＲＩのＫＡセットはＣＳＩ報告に含まれることができる。
【００８４】
ＭＵＸ−１と比べ、ＭＵＸ−０はＵＥが平均的により少ない数のＣＳＩ−ＲＳリソース(“ビーム”)を測定することができるようにする。
【００８５】
上述したように、ＣＲＩで示されたＫＡ個のＣＳＩ−ＲＳリソースインデックスのそれぞれに対し、少なくとも一つのＣＳＩ−ＲＳＲＰ(又はビーム−ＲＳＲＰ)がさらに報告されることができる。このようなＣＳＩ−ＲＳＲＰはＣＱＩ又はＣＳＩパラメーターのタイプとして扱われることができる。ＵＥがＣＲＩ報告外にＣＳＩ−ＲＳＲＰ報告で設定される時、多くの実施形態が次のように説明されることができる。一実施形態で、ＫＡ個のＣＳＩ−ＲＳリソース(“ビーム”)と連関されたＫＡ個のＣＳＩ−ＲＳＲＰはＣＲＩに係って報告される。他の実施形態で、ＣＲＩによって示されたＫＡ個のＣＳＩ−ＲＳリソースのうちで、ＣＳＩ−ＲＳＲＰはこのようなリソースのサブセット(例えば、Ｍ≦ＫＡ個のＣＳＩ−ＲＳリソース、ここで、Ｍはネットワークによって固定されるか、設定されることができるか、ＵＥによって選択されることができる)に対してだけ与えられる。他の実施形態で、すべてのＫＡ個のＣＳＩ−ＲＳリソース(“ビーム”)を示すただ一つのＣＳＩ−ＲＳＲＰ、例えば、ＫＡ個のＣＳＩ−ＲＳリソースにかけた平均ＲＳＲＰ、最小ＲＳＲＰ又は中間ＲＳＲＰはＣＲＩと共に報告される。他の実施形態で、最大及び最小ＣＳＩ−ＲＳＲＰ、最大及び平均ＣＳＩ−ＲＳＲＰ又は平均及び最小ＣＳＩ−ＲＳＲＰを示すただ２個のＣＳＩ−ＲＳＲＰがＣＲＩに係って報告される。
【００８６】
ＵＥがＭ≦ＫＡ個のＣＳＩ−ＲＳリソースと連関されたＭ≦ＫＡ個のＣＳＩ−ＲＳＲＰに係ってＣＲＩを報告するように構成される時(ここで、Ｍの値はネットワークにより固定されたりネットワークによって設定されたりする)、ＣＲＩ及びＭ個のＣＳＩ−ＲＳＲＰは図６に示されたようにＵＣＩコードワードを形成するように接続されることができる。このようなＵＣＩコードワード６００は(ＣＲＩ６０１)に対するビットシーケンス及びＭ個のＣＳＩ−ＲＳＲＰ６０２に対するビットシーケンスを含む)ビットシーケンスａ０、ａ１、ａ２、ａ３，…，ａＡ−１であり、ａ０はＵＣＩコードワード６００のＣＲＩフィールドの第１ビットに相応し、ａ１はＵＣＩコードワード６００のＣＲＩフィールドの第２ビットに相応し、ａＡ−１はＵＣＩコードワード６００内の最後のＣＳＩ−ＲＳＲＰフィールド(ＣＳＩ−ＲＳＲＰ Ｍ−１の最後のビットに相応する。
【００８７】
第３構成要素(すなわち、周期的及び半永久的ＣＳＩ)に対し、半永久的ＣＳＩ(ＳＰ−ＣＳＩ)はＳＰ−ＣＳＩが(ＲＲＣシグナリング、ＭＡＣ ＣＥ又はＬ１ ＤＬ制御シグナリングを通じる)活性化を開始して非活性化／解除を中止する必要があるという点を除いてはＰ−ＣＳＩと機能的に同一である。
【００８８】
本開示で、Ｐ−ＣＳＩ／ＳＰ−ＣＳＩはインタ−サブフレーム／スロット従属性を回避したり最小化したりする方式で設計される。単一ＣＷ階層マッピングが用いられる時、一つのＣＷですべての階層を示す一つのＣＱＩは周波数ドメインで与えられた報告ユニットに用いられることができる。したがって、ＣＱＩペイ・ロード(ＣＳＩ報告帯域又はサブバンドＣＱＩ当たり一つのＣＱＩでも)はＲＩ値と関係ない。さらに、ＰＳＩ／ＳＰ−ＣＳＩがＣＳＩ報告帯域内のすべてのサブバンドに対して一つのＣＱＩ及び一つのＰＭＩがあるＮＲのＴｙｐｅ Ｉ ＣＳＩのような低解像度フィードバック(例えば、リンク維持管理(ｌｉｎｋ ｍａｉｎｔｅｎａｎｃｅ))に用いられる場合、総ＣＳＩペイ・ロードは一つのＵＬ報告サブフレーム／スロット内に容易に装着されることができる。
【００８９】
一実施形態で、Ｐ−ＣＳＩ／ＳＰ−ＣＳＩは設定されたＣＳＩ報告帯域内のすべてのサブバンドを示す単一ＲＩ、(ＲＩがＬの勧奨されたランクを示す)すべてのＬ個の階層及び設定されたＣＳＩ報告帯域内のすべてのサブバンドを示す単一ＣＱＩ、及び設定されたＣＳＩ報告帯域内のすべてのサブバンドを示す単一ＰＭＩセットを含むＣＳＩ報告帯域当たり単一ＣＳＩ報告を含む。単一ＰＭＩセットは一つのプリコーダーインデックスパラメーターｉ、又は２個のプリコーダーインデックス(第１及び第２ＰＭＩ)ｉ１及びｉ２、又はより多いプリコーダーインデックスから構成されることができる。さらに、第１ＰＭＩは一つのプリコーダーインデックス、２個のプリコーダーインデックスｉ１，１及びｉ１，２(例えば、２次元コードブックに対して)から構成されることができる。上述したＣＱＩ、ＰＭＩ及びＲＩは一つのＵＬサブフレーム／スロットで報告される。ＵＥは同一なサブフレーム／スロットで報告されたＲＩに条件付きでＰＭＩを計算する。同様に、ＵＥは同一なサブフレーム／スロットで報告されたＰＭＩ及びＲＩに条件付きでＣＱＩを計算する。
【００９０】
上述した実施形態の変形で、単一ＣＳＩ報告パラメーターはＰＭＩ及びＲＩに対する共同仮説(ｊｏｉｎｔ ｈｙｐｏｔｈｅｓｅｓ)を示すのに用いられる。例示のために、このようなＣＳＩ報告パラメーターはペイ・ロードが
【数１】
2020502922.tif 000004
ビットであるＲ−ＰＭＩと言え、ここで、Ｈｒはｒａｎｋ−ｒと連関されたプリコーダー仮説の数であり、ＲＭＡＸはＵＥに対して設定された最大階層数(ランク値)である。Ｒ−ＰＭＩの例は表２で与えられ、ここで
【数２】
2020502922.tif 000005
ビットが用いられ、残り
【数３】
2020502922.tif 000006
仮説は、あれば、他の／今後使用のために予約される。単一ＰＭＩセットは一つのプリコーダーインデックスパラメーターＩ、又は２個のプリコーダーインデックス(第１及び第２ＰＭＩ)ｉ１及びｉ２、又はより多いプリコーダーインデックスから構成されることができる。さらに、第１ＰＭＩは一つのプリコーダーインデックス、２個のプリコーダーインデックスｉ１，１及びｉ１，２(例えば、２次元コードブックに対して)から構成されることができる。したがって、表２のＰＭＩ仮説はｉ、(ｉ１、ｉ２)又は(ｉ１１、ｉ１２、ｉ２)に対する仮説を示すことができる。共同仮説を用いるこのような接近方式は特にＰＭＩ仮説の数が相違するＲＩ値(一般的にある場合)によって異なる時、Ｐ−ＣＳＩ／ＳＰ−ＣＳＩペイ・ロードを最小化する潜在的に、より効率的な方式を可能にする。
【００９１】
【表２】
2020502922.tif 000007
【００９２】
上述した実施形態の変形で、２−ＣＷ階層マッピングが下位ランク(例えば、ランク１−４、又はそれぞれ選択的にランク１−２)に対する１−ＣＷ階層マッピングに加えて上位ランク(例えば、ランク５−８、又は選択的にランク３−８)に用いられ、一つのＣＷ又は２個のＣＷですべての階層を示す一つのＣＱＩは周波数ドメインで与えられた報告ユニットに用いられることができる。したがって、ＣＱＩペイ・ロード(これがＣＳＩ報告帯域又はサブバンドＣＱＩ当たり一つのＣＱＩでも関係なく)は相変らずＣＷの数にかかわらずＲＩ値と無関係であれば良い。この場合に、以前の段落で上述したように単一ＣＳＩ報告パラメーターはＰＭＩ及びＲＩに対する共同仮説を示すのに用いられる。Ｐ−ＣＳＩ／ＳＰ−ＣＳＩの場合、ＣＳＩ報告は設定されたＣＳＩ報告帯域内のすべてのサブバンドを示す単一ＲＩ、(ＲＩがＬの勧奨されたランクを示す)すべてのＬ個の階層及び設定されたＣＳＩ報告帯域内のすべてのサブバンドを示す単一ＣＱＩ、及び設定されたＣＳＩ報告帯域内のすべてのサブバンドを示す単一ＰＭＩセットを含むＣＳＩ報告帯域当たり単一ＣＳＩ報告を含む。
【００９３】
他の実施形態で、ＵＥがＣＲＩ報告で設定される時、ＣＲＩ及びＣＱＩ／ＰＭＩ／ＲＩが同一なＣＳＩ−ＲＳリソース(構成要素２でのＭＵＸ−１)又は２個の異なるＣＳＩ−ＲＳリソース(構成要素２でのＭＵＸ−０)を用いて計算されるかにかかわらず２つのオプションが存在する。第１オプション(Ａｌｔ ０)で、ＣＲＩはＣＱＩ／ＰＭＩ／ＲＩと別個で(例えば、相違するサブフレーム／スロットセットで)報告されることができる。このようなオプションはＭＵＸ−０により自然である。第２オプション(Ａｌｔ １)で、ＣＲＩは(同一なサブフレーム／スロットセットで)ＣＱＩ／ＰＭＩ／ＲＩと共に報告される。構成要素２に対して上述したように、ＣＲＩに示されたＫＡ個のＣＳＩ−ＲＳリソースインデックスのそれぞれに対し、少なくとも一つのＣＳＩ−ＲＳＲＰ(又はビーム−ＲＳＲＰ)がさらに報告されることができる。
【００９４】
他の実施形態で、ＵＥが２個のＣＷを示すＤＬ又はＵＬ割り当てで設定される場合、(ＲＩ、ＰＭＩ及びＣＱＩを含む)このような場合に対する全体ペイ・ロードは同様に維持されることができる。ここで、ＲＩを報告するために割り当てられたビットの数は同様に維持される。しかし、ＣＷ当たり一つのＣＱＩが用いられるので、Ｌ≦４(ＣＱＩ−１)である時のＣＱＩの一つのフィールドだけが含まれる。しかし、ＣＷの数が２である時には、２個のＣＱＩフィールド(ＣＱＩ−１及びＣＱＩ−２)が含まれることができる。第２ＣＱＩ(ＣＱＩ−２)は第１ＣＱＩ(ＣＱＩ−１)に対する全体ＣＱＩ又は差等ＣＱＩとして報告されることができる。例えば、図６のダイヤグラム６１０に示されている。Ｐ−ＣＳＩに対して同一なペイ・ロードを維持するため、より低いランクに対するＰＭＩ報告は(より高いランクと連関されたコードブックがより小さいサイズとなるきらいがあるので)減少されることができる。したがって、ＲＩ≦４である時、ＣＱＩ−１プラスＰＭＩに対するビットの数はＲＩ＞４である時、ＣＱＩ−１プラスＣＱＩ−２プラスＭＩに対するビットの数と同一である。これはプリコーディングがより低いランクに対してよく行うきらいがあるので有益である。
【００９５】
ＵＥがキャリアアグリゲーション(ｃａｒｒｉｅｒ ａｇｇｒｅｇａｔｉｏｎ、ＣＡ)の場合に１以上(Ｍ＞１のＤＬ ＣＣ(ｃｏｍｐｏｎｅｎｔ ｃａｒｒｉｅｒ)に対するＣＳＩを報告するように構成される時、Ｍ個の相違するＤＬ ＣＣに対するＣＳＩ−ＵＣＩと連関されたビットシーケンスはチャンネルコーディングブロックでエンコーディングされる一つのＵＣＩコードワードで接続されることができる(ＣＣ０|ＣＣ１|．．．|ＣＣＭ−１)。
【００９６】
構成要素３に対して説明されたそれぞれの実施形態は非常に小さいペイ・ロード(周期的、半永久的又は非周期的)、広帯域／部分帯域(設定されたＣＳＩ報告帯域当たり一つの報告)又はサブバンド(設定されたＣＳＩ報告帯域内のサブバンド当たり一つの報告)を有したＣＳＩ報告に(一般的に)適用される。連関されたＣＳＩ−ＵＣＩは少ない数のＰＲＢ又はＰＲＢの部分(ｆｒａｃｔｉｏｎ)(一つのＰＲＢ内のサブキャリアセット及び／又は一つのスロット内のＯＦＤＭシンボルセット)を割り当てることによって(ＬＴＥに対するＰＵＣＣＨと類似な)ＰＵＳＣＨ又はＰＵＳＣＨ自体から別個のＵＬ制御チャンネルを介して送信されることができる。第２オプション(ＰＵＳＣＨ上の送信)はＣＳＩ−ＵＣＩがＵＬ−ＳＣＨデータとマルチプレクシングされたか否かにかかわらず行うことができる。
【００９７】
第４構成要素(すなわち、非周期的ＣＳＩ)の場合、非周期的ＣＳＩ(Ａ−ＣＳＩ)はＣＱＩ及びＰＭＩに対して相違する周波数細分性を有した報告(設定されたＣＳＩ報告帯域でのすべてのＮＳＢサブバンドに対する一つの報告、又は設定されたＣＳＩ報告帯域でのサブバンド当たり一つの報告)を収容する。しかし、ＲＩ及びＣＲＩ(及び連関されたＣＳＩ−ＲＳＲＰ)は一つの周波数細分性(設定されたＣＳＩ報告帯域でのすべてのＮＳＢサブバンドに対する一つの報告)だけで報告される。
【００９８】
さらに、単一ＣＷ階層マッピングが用いられる場合、ＣＱＩペイ・ロードはＲＩ値に関係ない。しかし、ＰＭＩペイ・ロードはＲＩ値に依存的なことがある。例えば、空間解像度が低いＴｙｐｅ Ｉ(正常)ＣＳＩの場合、ＰＭＩペイ・ロードはＲＩ独立的であるかＲＩ値に少なく依存的であることができる。空間解像度が高いＴｙｐｅ ＩＩ(強化された)ＣＳＩの場合、ＰＭＩペイ・ロードはＲＩ依存的であることができる(例えば、ＰＭＩペイ・ロードは層別量子化／フィードバックを有するＲＩ値に比例することができる)。しかし、次の実施形態は単一ＣＷ階層マッピングが用いられるか否かに構わずに用いられることができる。例えば、これはさらに最大２個のＣＷ(例えば、ＬＴＥに用いられること)が用いられる階層マッピングに適用することができる。
【００９９】
本開示の一実施形態(方式０)で、すべての報告されたＣＳＩパラメーターは共同で一つのコードワードでエンコーディングされる。このようなコードワードは、コードブロック(ｃｏｄｅ ｂｌｏｃｋ、ＣＢ)ＣＲＣ挿入(又は潜在的にＣＢセグメント化(ｓｅｇｍｅｎｔａｔｉｏｎ))後に、チャンネルコーディングブロックに対する入力である。このような実施形態はＣＱＩ、ＰＭＩ及びＲＩが報告される時の図７のダイヤグラム７００に示される。このような実施形態に対する例示的な使用ケースは全体ＣＳＩ報告帯域(ＣＲＢ)、すなわち、“広帯域”又は“部分帯域”ＰＭＩ報告(Ｔｙｐｅ Ｉ ＣＳＩ、Ｔｙｐｅ ＩＩＣＳＩ又は２つのタイプのうちのいずれか一つの場合)に対して一つのＰＭＩだけが報告される時である。この場合に、ＰＭＩ及びＲＩは構成要素３で論議されたように共同で示されることができる。したがって、ＣＱＩはＰＭＩ及びＲＩと共同でエンコーディングされることができる。Ｓｃｉｅｍｅ０はさらにＵＥがＣＲＩ報告又は少なくとも一つのＣＳＩ−ＲＳＲＰと共にＣＲＩ報告又は、一般的に(ＣＱＩを含む)ビーム管理に対する品質メトリック(ｑｕａｌｉｔｙ ｍｅｔｒｉｃ)で設定される時に用いられることができる。
【０１００】
本開示の他の実施形態(方式１)で、ＵＥがＲＩ報告で設定される時、ＲＩは別個でエンコーディングされるが(コードワードセグメント１)、他の報告されたＣＳＩパラメーターは共同で一つのコードワードセグメント(コードワードセグメント２)でエンコーディングされる。このようなコードワードセグメント２は、コードブロック(ＣＢ)ＣＲＣ挿入(又は潜在的にＣＢセグメント化)後に、チャンネルコーディングブロックに対する入力である。コードワードセグメント１は他のチャンネルコーディングブロックに対する入力である。コードワードセグメント１が短いから、ＣＲＣは追加されたり追加されなかったりすることもある。このような実施形態は図８の(変調マッパーがマルチプレクシング前にそれぞれのセグメント上に適用される)ダイヤグラム８００及び(変調マッパーが２個のセグメントをマルチプレクシングした後に適用される)ダイヤグラム８５０に示される。
【０１０１】
本開示の他の実施形態(方式２)で、ＵＥがＲＩ報告で設定される時、ＲＩ及びペイ・ロードがＲＩの値と独立的な少なくとも一つの他のＣＳＩパラメーターがコードワードセグメント１を形成するために共同でエンコーディングされる。このようなコードワードセグメント１は、コードブロック(ＣＢ)ＣＲＣ挿入(又は潜在的にＣＢセグメント化)後に、チャンネルコーディングブロックに対する入力である。他の残りＣＳＩパラメーターは他のコードワードセグメント２を形成するために共同でエンコーディングされる。このようなコードワードセグメント２は、コードブロック(ＣＢ)ＣＲＣ挿入(又は潜在的にＣＢセグメント化)後に、チャンネルコーディングブロックに対する入力である。
【０１０２】
ＲＩがさらに少なくとも一つの他のＣＳＩパラメーターから別個にエンコーディングされる方式１及び方式３(後述される)と比べ、方式２はコードワードセグメント１のペイ・ロードがチャンネルコーディング後にＣＲＣ挿入を正当化するのに充分に大きいほどに(ペイ・ロードが通常的に小さい)ＲＩが少なくとも一つの他のＣＳＩパラメーターで共同でエンコーディングされるようにする。ＣＲＣを用い、ｇＮＢは、ＵＥからＣＳＩ−ＵＣＩ送信を受信すると、ＣＳＩ−ＵＣＩが成功的にデコーディングされるか否かを信頼性あるようにチェックするためにエラー検出を行うことができる。ＲＩのエラー検出は上述したように致命的なことがある。
【０１０３】
本開示の以前の実施形態(方式２)の変形で(方式２Ａ)、ＵＥがＲＩ報告で設定される時、ＲＩ及びＣＱＩはコードワードセグメント１を形成するために共同でエンコーディングされる。このようなコードワードセグメント１は、コードブロック(ＣＢ)ＣＲＣ挿入(又は潜在的にＣＢセグメント化)後に、チャンネルコーディングブロックに対する入力である。ＰＭＩ(ＰＭＩに属するすべてのパラメーター)は他のコードワードセグメント２を形成するために共同でエンコーディングされる。このようなコードワードセグメント２は、コードブロック(ＣＢ)ＣＲＣ挿入(又は潜在的にＣＢセグメント化)後に、チャンネルコーディングブロックに対する入力である。このような実施形態は図９Ａの(変調マッパーがマルチプレクシング前にそれぞれのセグメント上に適用される)ダイヤグラム９００及び(変調マッパーが２個のセグメントをマルチプレクシングした後に適用される)ダイヤグラム９０１に示される。このような実施形態に対する例示的な使用ケースはＴｙｐｅ ＩＩ ＣＳＩがＣＳＩ報告帯域でのすべてのサブバンド(すなわち、“広帯域”又は“部分帯域”ＰＭＩのうちのいずれか一つ)に対して一つのＰＭＩ報告で報告される時である。この場合に、ＰＭＩペイ・ロードは、一つの報告にもかかわらず、相変らずよほど大きく、(コードワードセグメント２として)ＣＱＩ及びＲＩと別個でエンコーディングされることができる。このような実施形態に対する他の使用ケースは(Ｔｙｐｅ Ｉ／ＩＩ、単一又は二重ステージＰＭＩと関係なく)サブバンドＰＭＩが報告される時である。
【０１０４】
本開示の以前の実施形態(方式２)の変形で(方式２Ｂ)、ＰＭＩに含まれたＣＳＩパラメーターは２つの部分：ＰＭＩ部分Ｉ及びＰＭＩ部分ＩＩに分割される。ＵＥがＲＩ報告で設定される時、ＲＩ、ＣＱＩ及びＰＭＩ部分Ｉはコードワードセグメント１を形成するように共同でエンコーディングされる。このようなコードワードセグメント１は、コードブロック(ＣＢ)ＣＲＣ挿入(又は潜在的にＣＢセグメント化)後に、チャンネルコーディングブロックに対する入力である。ＰＭＩ部分ＩＩは他のコードワードセグメント２を形成するために共同でエンコーディングされる。このようなコードワードセグメント２は、コードブロック(ＣＢ)ＣＲＣ挿入(又は潜在的にＣＢセグメント化)後に、チャンネルコーディングブロックに対する入力である。このような実施形態は図９Ｂの(変調マッパーがマルチプレクシング前にそれぞれのセグメント上に適用される)ダイヤグラム９１０及び(変調マッパーが２個のセグメントをマルチプレクシングした後に適用される)ダイヤグラム９１１に示される。
【０１０５】
方式２Ｂの一部下位実施形態は次のように説明されることができる。
【０１０６】
方式２Ｂの第１下位実施形態で、ＰＭＩ部分Ｉは第１階層と連関されたＰＭＩ報告パラメーターを含む一方、ＰＭＩ部分ＩＩは第２階層乃至最後の階層と連関されたＰＭＩ報告パラメーターを含む(ＲＩ＝Ｌ、このような階層はＬｔｈに相応する)。このような実施形態はＰＭＩが階層ごとに定義されることができる時の特にＴｙｐｅ ＩＩ ＣＳＩに係る。
【０１０７】
方式２Ｂの第２下位実施形態で、ＰＭＩ部分Ｉはすべての階に共通である第１又は第１ステージ(広帯域)ＰＭＩパラメーターｉ１又は(ｉ１１、ｉ１２)と連関されたＰＭＩ報告パラメーターを含む一方、ＰＭＩ部分ＩＩは(ＲＩ依存的な)第２又は第２ステージＰＭＩパラメーターｉ２と連関されたＰＭＩ報告パラメーターを含む。このような実施形態はＰＭＩペイ・ロードがＲＩの値に依存する時のＴｙｐｅＩ及びＴｙｐｅ ＩＩ ＣＳＩのいずれも係る。サブバンドごとにＰＭＩ周波数細分性があるこのような下位実施形態の一つの例示的な使用ケースで、ＲＩ及び第１又は第１ステージ(広帯域)ＰＭＩパラメーターｉ１又は(ｉ１１、ｉ１２)−ＰＭＩ周波数細分性にかかわらずＣＳＩ報告帯域当たり一つのｉ１報告−は構成要素３で説明したとおり共同で示すことができる。(ＲＩ依存的な)第２又は第２ステージＰＭＩパラメーターｉ２はサブバンドごとに報告されることができる。
【０１０８】
式２Ｂの第３下位実施形態で、ＰＭＩ部分Ｉはすべての階に共通である第１又は第１ステージ(広帯域)ＰＭＩパラメーターｉ１又は(ｉ１１、ｉ１２)だけでなく第１階層と連関された第２又は第２ステージＰＭＩパラメーターｉ２と連関されたＰＭＩ報告パラメーターを含む。ＰＭＩ部分ＩＩは第２階層乃至最後の階層と連関された第２又は第２ステージＰＭＩパラメーターｉ２と連関されたＰＭＩ報告パラメーターを含む(ＲＩ＝Ｌ、このような階層はＬｔｈに相応する)。このような実施形態はＰＭＩが階層ごとに定義されることができる時の特にＴｙｐｅ ＩＩ ＣＳＩに係る。
【０１０９】
方式２／２Ａ／２Ｂの場合、２個のコードワードセグメントのそれぞれが充分に大きいことで予想される。したがって、ポーラーコード(ｐｏｌａｒ ｃｏｄｅ)又はＴＢＣＣが用いられることができる。２個のコードワードセグメントに対するＣＲＣ挿入に係って、ＬＣＲＣビットＣＲＣはチャンネルコーディング前に２個のコードワードセグメントのそれぞれに挿入されることができる２個の別個のＣＲＣ挿入をもたらす)。セグメントのサイズがコードブロック／ＣＢセグメント化が行われる必要があるほどに充分に大きければ、ＬＣＲＣビットＣＲＣはそれぞれのＣＢに挿入されることができる。選択的に、一つのＬＣＲＣビットＣＲＣだけが２つのコードワードセグメント(よって、セグメント１及び２に対する共同ＣＲＣ)に用いられることができる。この場合に、ＣＲＣ挿入はＣＳＩ−ＵＣＩコードワードを２つにセグメント化する前に行われる。同様に、ＣＳＩ−ＵＣＩコードワードのサイズはコードブロック／ＣＢセグメント化が行われる必要があるほどに充分に大きいと、ＬＣＲＣビットＣＲＣはそれぞれのＣＢに挿入されることができる。
【０１１０】
方式２／２Ａ／２Ｂの場合、ｇＮＢは先ず(サイズがＲＩ依存的な)セグメント２前に(ＲＩを含む)コードワードセグメント１をデコーディングすることができる。デコーディングされたＲＩ値に基づいて、セグメント２のペイ・ロードサイズは知られている。さらに、少なくとも一つのＬＣＲＣビットＣＲＣがコードワードセグメント１に挿入されると、ｇＮＢはセグメント１が成功的にデコーディングされるか否かをチェックすることができる。これはセグメント２のペイ・ロードサイズのｇＮＢ推論(ｉｎｆｅｒｅｎｃｅ)の信頼度を増加させる。
【０１１１】
方式２／２Ａ／２Ｂに対し、ＵＥが(ＣＳＩ−ＲＳＲＰを有するか有しない)ＣＲＩ報告で設定される時、ＣＲＩ又はＣＲＩ＋ＣＳＩ−ＲＳＲＰはコードワードセグメント１に含まれることができ、すなわち、ＲＩ及びペイ・ロードサイズがＲＩ値に独立的な少なくとも一つの他のＣＳＩパラメーターで共同でエンコーディングされることができる。
【０１１２】
本開示の他の実施形態(方式３)で、ＵＥがＲＩ報告で設定される時、ＲＩはコードワードセグメント１を形成するようにエンコーディングされ、ＣＱＩはコードワードセグメント２を形成するようにエンコーディングされ、ＰＭＩはコードワードセグメント３を形成するようにエンコーディングされる。３個のコードワードセグメントのそれぞれは、潜在的にコードブロック(ＣＢ)ＣＲＣ挿入及び／又はＣＢセグメント化後に、チャンネルコーディングブロックに対する入力である。このような実施形態は図１０の(変調マッパーがマルチプレクシング前にそれぞれのセグメント上に適用される)ダイヤグラム１０００及び(変調マッパーが２個のセグメントをマルチプレクシングした後に適用される)ダイヤグラム１００１に示される。方式３に対するチャンネルコーディング及びＣＲＣ挿入は３個のコードワードセグメントに対する説明を確張することによって方式２／２Ａ／２Ｂに対することによる。
【０１１３】
上述した実施形態０／１／２／２Ａ／２Ｂ／３のうちの任意のことの変形で、２−ＣＷ階層マッピングが下位ランク(例えば、ランク１−４、又は選択的にそれぞれランク１−２)に対する１−ＣＷ階層マッピングに加えて上位ランク(例えば、ランク５−８、又は選択的にランク３−８)に用いられ、一つのＣＷ又は２個のＣＷですべての階層を示す一つのＣＱＩは周波数ドメインで与えられた報告ユニットに用いられることができる。したがって、ＣＱＩペイ・ロード(これがＣＳＩ報告帯域又はサブバンドＣＱＩ当たり一つのＣＱＩでも関係なく)は相変らずＣＷの数にかかわらずＲＩ値と無関係なことがある。この場合に、以前の段落で上述したように単一ＣＳＩ報告パラメーターはＰＭＩ及びＲＩに対する共同仮説を示すのに用いられる。Ｐ−ＣＳＩ／ＳＰ−ＣＳＩの場合、ＣＳＩ報告からは設定されたＣＳＩ報告帯域内のすべてのサブバンドを示す単一ＲＩ、(ＲＩがＬの勧奨されたランクを示す)すべてのＬ個の階層及び設定されたＣＳＩ報告帯域内のすべてのサブバンドを示す単一ＣＱＩ、及び設定されたＣＳＩ報告帯域内のすべてのサブバンドを示す単一ＰＭＩセットを含むＣＳＩ報告帯域当たり単一ＣＳＩ報告を含む。
【０１１４】
本開示の他の実施形態(方式４)は２−ＣＷ階層マッピングが下位ランク(ＲＩ≦ｘである時、例えば、ＲＩ≦４、又は選択的にそれぞれＲＩ≦２)に対する１−ＣＷ階層マッピングに加えて上位ランク(ＲＩ＞ｘである時、例えば、ＲＩ＞４、又は選択的にＲＩ＞２)に用いられる時の用いられることができる。この場合に、ＲＩの値によって、ＣＷの数は１と２の間で変更されることができ、ＲＩ値が２個のＣＷの使用を意味する時の２個の相違するＣＷに対して相違するＣＱＩが用いられることができる(すなわち、第１ＣＷに対するＣＱＩ−１及びＲＩ＞ｘである時、第２ＣＷに対するＣＱＩ−２)。言い換えれば、ＲＩ≦ｘ(例えば、ＲＩ≦４、又は選択的にＲＩ≦２)である時、一つのＣＷを示す一つのＣＱＩ(ＣＱＩ−１)が報告される。そうではなければ、ＲＩ＞ｘ(例えば、ＲＩ＞４、又は選択的に、ＲＩ＞２)である時、２個のＣＷを示す２個のＣＱＩ(ＣＱＩ−１及びＣＱＩ−２)が報告される。方式４の２個の下位実施形態は図１１Ａ及び図１１Ｂに示されている。
【０１１５】
図１１Ａに示された下位実施形態で、ＰＭＩに含まれたＣＳＩパラメーターは２つの部分：ＰＭＩ部分Ｉ及びＰＭＩ部分ＩＩに分割される。したがって、方式２／２Ａ／２ＢからのＰＭＩ部分Ｉ及び部分ＩＩに対する相違する例の説明が適用されることができる。ＵＥがＲＩ報告で設定される時、ＲＩ、ＣＱＩ−１及びＰＭＩ部分Ｉはコードワードセグメント１を形成するように共同でエンコーディングされる。このようなコードワードセグメント１は、コードブロック(ＣＢ)ＣＲＣ挿入(又は潜在的にＣＢセグメント化)後に、チャンネルコーディングブロックに対する入力である。ＲＩ＞ｘ(上述したことを参照)である時、ＰＭＩ部分ＩＩは他のコードワードセグメント２を形成するためにＣＱＩ−２で共同でエンコーディングされる。そうではなければ、ＲＩ≦ｘである時、ＰＭＩ部分ＩＩは他のコードワードセグメント２を形成するた(自体的に)エンコーディングされる。このようなコードワードセグメント２は、コードブロック(ＣＢ)ＣＲＣ挿入(又は潜在的にＣＢセグメント化)後に、チャンネルコーディングブロックに対する入力である。このような実施形態は図１１Ａの(変調マッパーがマルチプレクシングの前にそれぞれのセグメント上に適用される)ダイヤグラム１１００及び(変調マッパーが２個のセグメントをマルチプレクシングした後に適用される)ダイヤグラム１１０１に示される。
【０１１６】
図１１Ｂに示された下位実施形態で、ＰＭＩに含まれたＣＳＩパラメーターは共にエンコーディングされる。ＵＥがＲＩ報告で設定される時、ＲＩ及びＣＱＩ−１はコードワードセグメント１を形成するように共同でエンコーディングされる。このようなコードワードセグメント１は、コードブロック(ＣＢ)ＣＲＣ挿入(又は潜在的にＣＢセグメント化)後に、チャンネルコーディングブロックに対する入力である。ＲＩ＞ｘ(上述したことを参照)である時、ＰＭＩは他のコードワードセグメント２を形成するためにＣＱＩ−２で共同でエンコーディングされる。そうではなければ、ＲＩ≦ｘである時、ＰＭＩは他のコードワードセグメント２を形成するため(自体的に)エンコーディングされる。このようなコードワードセグメント２は、コードブロック(ＣＢ)ＣＲＣ挿入(又は潜在的にＣＢセグメント化)後に、チャンネルコーディングブロックに対する入力である。このような実施形態は図１１Ｂの(変調マッパーがマルチプレクシング前にそれぞれのセグメント上に適用される)ダイヤグラム１１１０及び(変調マッパーが２個のセグメントをマルチプレクシングした後に適用される)ダイヤグラム１１１１に示される。
【０１１７】
ランク１−２を有するＴｙｐｅ ＩＩに適用可能な他の下位実施形態で、ビーム振幅／電力係数は第１ＰＭＩ(ＰＭＩ部分１)ｉ１)に付加して別個で報告されることができる。このような(広帯域)ビーム振幅／電力係数の値に基づいて、サブバンド報告ペイ・ロードは調整されることができる。例えば、ビーム振幅／組み合せ係数の一部が０である時、全体サブバンド報告ペイ・ロードは、例えば、(ＵＥが広帯域ビーム振幅／電力係数に付加してサブバンドビーム振幅／電力係数を報告するように設定される時)振幅／電力係数のサブバンド部分を報告しないことによって減少されることができる。ここで、Ｌの値は上位階層シグナリング又はＭＡＣ ＣＥを介して設定されることができる。しかし、広帯域振幅／電力係数のうちの一部が０である時、全体報告されたＣＳＩは動的に変わる。
【０１１８】
したがって、ＲＩ(最大２)、ＣＱＩ(最大ランクが２であるので一つのＣＱＩだけが報告される)、及び第１ＰＭＩ(ＰＭＩ部分１として示された広帯域ＣＳＩパラメーターとして報告されるｉ１)と共に、第１セグメントはＲＩによって影響を受けないＣＳＩパラメーター及び／又は第１階層に対する広帯域振幅／電力係数(第１階層に対する最も強い／線図係数(ｓｔｒｏｎｇｅｓｔ／ｌｅａｄｉｎｇ ｃｏｅｆｆｉｃｉｅｎｔ)に対するインジケーターを含むＡｍｐ−１)のような０ではない広帯域振幅／電力係数の数を搬送することができる。第２セグメントは第２ＰＭＩ(ＰＭＩ部分２として示されたサブバンド及び階層別で報告されることができるｉ２)、第２階層に対する広帯域振幅／電力係数(ＲＩ＝２であれば、第２階層に対する最も強い／線図係数に対するインジケーターを含む広帯域Ａｍｐ−２)、及び振幅／電力係数のサブバンド部分(第１階層に対するサブバンドＡｍｐ−１と、ＲＩ＝２であれば、ＵＥが広帯域ビーム振幅／電力係数に付加してサブバンドビーム振幅／電力係数を報告するように設定される時の第２階層に対するサブバンドＡｍｐ−２)を含む。これは図１１Ｃのダイヤグラム１１２０に示されている。
【０１１９】
選択的に、第２階層に対する広帯域振幅／電力係数(第２階層に対する最も強い／線図係数に対するインジケーターを含む広帯域Ａｍｐ−２)は図１１Ｃのダイヤグラム１１２１に示されたように第１セグメント内に含まれることができる(このような広帯域報告のペイ・ロード以後)。この場合に、第１セグメントに対するペイ・ロードがＲＩ(１又は２)の値にかかわらず同一に維持されなければならないので、第１セグメントのペイ・ロードはＲＩ＝２を仮定して決定されたり提供されたりする。
【０１２０】
ダイヤグラム１１２０及び１１２１に示された実施形態はＴｙｐｅ Ｉがランク１、２、３及び４に対してサポートされる時に拡張されることができる。このような拡張は通常の技術者によって推論されることができる。
【０１２１】
ランク１−２を有したＴｙｐｅ ＩＩに適用可能なダイヤグラム１１２２(ダイヤグラム１１２１に示された以前の実施形態の変形)に示された他の下位実施形態で、ビーム振幅／電力係数は第１ＰＭＩ(ＰＭＩ部分１)ｉ１に付加して別個で報告されることができる。このような(広帯域)ビーム振幅／電力係数の値に基づいて、サブバンド報告ペイ・ロードは調整されることができる。例えば、ビーム振幅／組み合せ係数の一部が０である時、全体サブバンド報告ペイ・ロードは、例えば、(ＵＥが広帯域ビーム振幅／電力係数に付加してサブバンドビーム振幅／電力係数を報告するように設定される時)振幅／電力係数のサブバンド部分を報告しないことによって減少されることができる。ここで、Ｌの値は上位階層シグナリング又はＭＡＣ ＣＥを介して設定されることができる。しかし、広帯域振幅／電力係数のうちの一部が０である時、全体報告されたＣＳＩは動的に変わる。
【０１２２】
このような例示的な下位実施形態で、第１及び第２階層のいずれも連関された広帯域振幅／電力係数(第１階層に対する最も強い／線図係数に対するインジケーターを含む広帯域Ａｍｐ−１、第２階層に対する最も強い／線図係数に対するインジケーターを含む広帯域Ａｍｐ−２)は図１１Ｃのダイヤグラム１１２２に示されたように第１セグメント内に含まれることができる(このような広帯域報告のペイ・ロード以後)。ここで、係数の２つのセットはＲＩの値にかかわらず含まれる。しかし、ＲＩは含まれたり報告されたりせず、代りに広帯域Ａｍｐ−１及び／又は広帯域Ａｍｐ−２の値から推論されることができる。例えば、広帯域Ａｍｐ−２に相応する２Ｌ振幅係数が０であれば、ＲＩ＝１と仮定することができる。又は、類似に、広帯域Ａｍｐ−１に相応する２Ｌ振幅係数が０であれば、ＲＩ＝１と仮定することができる。
【０１２３】
この場合に、第１セグメントに対するペイ・ロードがＲＩ(１又は２)の値にかかわらず同一に維持されなければならないので、第１セグメントのペイ・ロードはＲＩ＝２を仮定して決定されたり提供されたりする。
【０１２４】
ランク１−２を有したＴｙｐｅ ＩＩに適用可能な図１１Ｄのダイヤグラム１１３０に示された他の下位実施形態(図１１Ｃのダイヤグラム１１２１に示された以前の実施形態の変形)で、３個の部分ＵＣＩマルチプレクシングが用いられるが、ここでＣＱＩ、ＲＩ及びＰＭＩ部分１は部分１から共にマルチプレクシングされてエンコーディングされるが、部分２の広帯域Ａｍｐ−１及び／又は広帯域Ａｍｐ−２から別個でマルチプレクシングされてエンコーディングされる(ＲＩ＝２の場合にだけ広帯域Ａｍｐ−２が含まれ、そうではない場合には広帯域Ａｍｐ−１だけが含まれる)。他のパラメーター(ＰＭＩ部分２、サブバンドＡｍｐ−１、ＲＩ＝２の場合にはサブバンドＡｍｐ−２)は部分１と部分２から別個でエンコーディングされる部分３でマルチプレクシングされ、このような(広帯域)ビーム振幅／電力係数の値に基づいて、サブバンド報告ペイ・ロードは調整されることができる。例えば、ビーム振幅／組み合せ係数の一部が０である時、全体サブバンド報告ペイ・ロードは、例えば、(ＵＥが広帯域ビーム振幅／電力係数に付加してサブバンドビーム振幅／電力係数を報告するように設定される時)振幅／電力係数のサブバンド部分を報告しないことによって減少されることができる。ここで、Ｌの値は上位階層シグナリング又はＭＡＣ ＣＥを介して設定されることができる。しかし、広帯域振幅／電力係数のうちの一部が０である時、全体報告されたＣＳＩは動的に変わる。
【０１２５】
このような例示的な下位実施形態で、第１及び第２階層のいずれも連関された広帯域振幅／電力係数(第１階層に対する最も強い／線図係数に対するインジケーターを含む広帯域Ａｍｐ−１、第２階層に対する最も強い／線図係数に対するインジケーターを含む広帯域Ａｍｐ−２)は図１１Ｄのダイヤグラム１１３０に示されたように(このような広帯域報告のペイ・ロードが報告されたＲＩによって変わるので)第２セグメント(部分２)内に含まれることができる。
【０１２６】
選択的に、図１１Ｄのダイヤグラム１１３１に示されたように、部分１はＲＩ及びＣＱＩを含む一方、部分２は部分２内のＰＭＩ部分１、広帯域Ａｍｐ−１及び広帯域Ａｍｐ−２を含む(広帯域Ａｍｐ−２はＲＩ＝２の場合にだけ含まれ、そうではなければ、ＰＭＩ部分１及び広帯域Ａｍｐ−１だけが含まれる)。
【０１２７】
ランク１−２を有したＴｙｐｅ ＩＩに適用可能な図１１Ｄのダイヤグラム１１３２に示された他の下位実施形態(図１１Ｃのダイヤグラム１１２１に示された以前の実施形態の変形)で、３個の部分ＵＣＩマルチプレクシングが用いられるが、ここでＣＱＩ、ＲＩ、ＰＭＩ部分１及び広帯域Ａｍｐ−１は部分１で共にマルチプレクシングされてエンコーディングされ、部分２では広帯域Ａｍｐ−２がマルチプレクシングされてエンコーディングされる(ＲＩ＝２の場合にだけ広帯域Ａｍｐ−２が報告される)。他のパラメーター(ＰＭＩ部分２、サブバンドＡｍｐ−１、及びＲＩ＝２の場合にはサブバンドＡｍｐ−２)は部分１と部分２から別個でエンコーディングされる部分３でマルチプレクシングされ、このような(広帯域)ビーム振幅／電力係数の値に基づいてサブバンド報告ペイ・ロードは調整されることができる。例えば、ビーム振幅／組み合せ係数の一部が０である時、全体サブバンド報告ペイ・ロードは、例えば、(ＵＥが広帯域ビーム振幅／電力係数に付加してサブバンドビーム振幅／電力係数を報告するように設定される時)振幅／電力係数のサブバンド部分を報告しないことによって減少されることができる。ここで、Ｌの値は上位階層シグナリング又はＭＡＣ ＣＥを介して設定されることができる。しかし、広帯域振幅／電力係数の中で一部が０であることがある時、全体報告されたＣＳＩは動的に変わる。
【０１２８】
このような例示的な下位実施形態で、第１階層と連関された広帯域振幅／電力係数(第１階層に対する最も強い／線図係数に対するインジケーターを含む広帯域Ａｍｐ−１は第１セグメントに含まれる(部分１)。したがって、部分１報告のペイ・ロードは固定される。第２階層と連関された広帯域振幅／電力係数(第２階層に対する最も強い／線図係数に対するインジケーターを含む広帯域Ａｍｐ−２)は図１１Ｄのダイヤグラム１１３２に示されたように第２セグメント(部分２)内に含まれる。このような広帯域報告のペイ・ロード(部分２)が報告されたＲＩによって変わる。ＲＩ＝１であれば、部分２は報告されなく、ＲＩ＝２であれば、第２階層(部分２に含まれる)に対する広帯域ａｍｐ−２は報告される。一方、部分３は報告される。
【０１２９】
選択的に、図１１Ｅのダイヤグラム１１３３に示されたように、部分１はＲＩ、ＣＱＩ及び広帯域Ａｍｐ−１を含む一方、部分２は部分２内のＰＭＩ部分１及び広帯域Ａｍｐ−２を含む(広帯域Ａｍｐ−２はＲＩ＝２の場合にだけ含まれ、そうではなければ、ＰＭＩ部分１だけが含まれる)。
【０１３０】
Ｔｙｐｅ ＩＩ ＣＳＩ報告に対する(ダイヤグラム１１２１乃至１１３３)に示された)以前の実施形態で、ＰＭＩ部分１(ｉ１)は次の２個の構成要素：１１６個の組み合せに相応する(したがって、４ビット報告を要する)回転因子(ｑ１，ｑ２)、ここで、ｑ１，ｑ２∈ {０，１，２，３}、及び２)共同
【数４】
2020502922.tif 000008
ビット、又はビーム当たり独立的
【数５】
2020502922.tif 000009
ビットのうちのいずれか１つのＬ個の直交ビームの選択を示す。２個の構成要素はＰＭＩ部分１の２個の構成要素として共同で又は別個で報告される。
【０１３１】
Ｔｙｐｅ ＩＩ ＣＳＩ報告に対する(ダイヤグラム１１２１乃至１１３３)に示された)上述した実施形態で、広帯域Ａｍｐ−１及び広帯域Ａｍｐ−２はさらにＲＰＩ０及びＲＰＩ１として指称されることができるのに、ここでＲＰＩは相手電力インジケーター(ｒｅｌａｔｉｖｅ ｐｏｗｅｒ ｉｎｄｉｃａｔｏｒ)を示す。さらに、ＲＰＩ０は第１階層に対する最も強い／線図係数と第１階層に対する残り２Ｌ−１係数の広帯域(ＷＢ)振幅
【数６】
2020502922.tif 000010
を示し、ＲＰＩ１は第２階層に対する最も強い／線図係数と第２階層に対する残り２Ｌ−１係数のＷＢ振幅
【数７】
2020502922.tif 000011
を示す。
【０１３２】
第１階層及び第２階層に対する最も強い／線図係数はさらにＳＣＩ０及びＳＣＩ１として指称されることができ、ＳＣＩは最も強い係数インジケーター(ｓｔｒｏｎｇｅｓｔ ｃｏｅｆｆｉｃｉｅｎｔ ｉｎｄｉｃａｔｏｒ)を示す。変形で、ＳＣＩ０及びＳＣＩ１はさらに２個の階層に対する広帯域(ＷＢ)振幅と別個で報告されることができる。この場合に、ＲＰＩ０及びＲＰＩ１は２階層の残り２Ｌ−１係数のＷＢ振幅を示す。
【０１３３】
Ｔｙｐｅ ＩＩ ＣＳＩ報告に対する(ダイヤグラム１１２１乃至１１３３)に示された)上述した実施形態で、サブバンドＡｍｐ−１及びサブバンドＡｍｐ−２はさらにＳＲＰＩ０及びＳＲＰＩ１として指称されることができるが、ここで ＳＲＰＩはサブバンド相手電力インジケーター(ｓｕｂｂａｎｄ ｒｅｌａｔｉｖｅ ｐｏｗｅｒ ｉｎｄｉｃａｔｏｒ)を示す。さらに、ＳＲＰＩ０は第１ 階層に対する残り２Ｌ−１係数のサブバンド(ＳＢ)振幅
【数８】
2020502922.tif 000012
を示し、ＳＲＰＩ１は第２階層に対する残り２Ｌ−１係数のサブバンド(ＳＢ)振幅
【数９】
2020502922.tif 000013
を示す。
【０１３４】
Ｔｙｐｅ ＩＩ ＣＳＩ報告に対する(ダイヤグラム１１２１乃至１１３３)に示された)上述した実施形態で、ＰＭＩ部分２(ｉ２)はそれぞれの階層に対する２Ｌ−１係数のＳＢ位相を示す。したがって、ＲＩ＝１であれば、ＰＭＩ部分２は一つの階層に対するｉ２＝ｉ２，０に相応し、ＲＩ＝２であれば、ＰＭＩ部分２は２階層に対するｉ２＝(ｉ２，０、ｉ２，１)に相応する。
【０１３５】
それぞれの階層に対し、ＳＢ位相及びＳＢ振幅はさらに(第１階層に対するｉ２，０及びＳＲＰＩ０を含む)ＰＭＩ部分２−１及び(第２階層に対するｉ２，１及びＳＲＰＩ１を含む)ＰＭＩ部分２−２として共同で報告されることができる。２つの例は図１１Ｅに示される(ダイヤグラム１１３４及び１１３５))。
【０１３６】
Ｔｙｐｅ ＩＩ ＣＳＩ報告に対する実施形態で、ＰＭＩは第１(ＷＢ)ＰＭＩ(ｉ１)及び第２(ＳＢ)ＰＭＩ(ｉ２)を含む。第１ＰＭＩ ｉ１＝[ｉ１，１、ｉ１，２、ｉ１，３、ｉ１，４]は２個の階層共通(すなわち、ＵＥがＲＩ＝２を報告する場合に２個の階層に対して報告された共通)構成要素、すなわち、１回転因子(ｑ１、ｑ２)を示すインデックスｉ１，１を用いて示された)直交基本セット(ｏｒｔｈｏｇｏｎａｌ ｂａｓｉｓ ｓｅｔ)及び２)(インデックスｉ１，２を用いて示された)Ｌビーム選択を含む。さらに、２個の階層特定(すなわち、ＵＥがＲＩ＝２を報告する場合、２個の階層のそれぞれに対して報告される)構成要素：１(インデックスｉ１，３を用いて示された)最も強い係数及び２)(インデックスｉ１，４を用いて示された)ＷＢ振幅
【数１０】
2020502922.tif 000014
が報告される。
【０１３７】
インデックス ｉ１，３及びｉ１，４は
【数１１】
2020502922.tif 000015
としてより説明されることができる。第２ＰＭＩ ｉ２＝[ｉ２，１、ｉ２，２]は２個の階層特定構成要素、すなわち、インデックスｉ２，１を用いて示されたＳＢ位相ｃ１，ｉ及び２)インデックスｉ２，２を用いて示された(ＲＲＣシグナリングによってターンオン(ＯＮ)又はオフ(ＯＦＦ)されることができる)ＳＢ振幅
【数１２】
2020502922.tif 000016
を含み、ここで
【数１３】
2020502922.tif 000017
である。
【０１３８】
【数１４】
2020502922.tif 000018
はＲＩ＝２が報告される時にだけ報告されるということを注目する。添え字ｌ∈{０，１}は階層に用いられ、添え字ｉ∈{０，１，...，２Ｌ−１}は係数に用いられる。第１ＰＭＩは広帯域(ＷＢ)方式で報告され、第２ＰＭＩは広帯域又はサブバンド(ＳＢ)方式で報告されることができる。
【０１３９】
図１１Ｆに示されたようにランク１−２を有するＴｙｐｅ ＩＩに適用可能なダイヤグラム１１４０に示された実施形態で、２部分ＵＣＩマルチプレクシングが用いられ、ここでＣＱＩ、ＲＩ及び(Ｎ０，１、Ｎ０，２)は部分１で共にマルチプレクシングされてエンコーディングされ、Ｎ０，１及びＮ０，２はそれぞれ階層１及び階層２に対して０である報告されたＷＢ振幅の数、すなわち、
【数１５】
2020502922.tif 000019
を示すか(ＤＥＦ Ａ);選択的に、これはそれぞれ階層１及び階層２に対して０ではない報告されたＷＢ振幅の数、すなわち、
【数１６】
2020502922.tif 000020
を示し(ＤＥＦ Ｂ);残りＣＳＩパラメーターは部分２で共にマルチプレクシングされてエンコーディングされ、ここで、残りＣＳＩは第１ＰＭＩ(ｉ１)及び第２ＰＭＩ(ｉ２)を含む。
【０１４０】
部分１で報告された値(Ｎ０，１、Ｎ０，２)に基づいて、部分２に対するＣＳＩ報告ペイ・ロード(ビット)が決定される。特に、第２ＰＭＩ ｉ２の構成要素は相応する報告されたＷＢ振幅が０ではない係数に対してだけ報告される。
【０１４１】
ランク１−２を有するＴｙｐｅ ＩＩに適用可能なダイヤグラム１１４１に示された実施形態で、３個の部分ＵＣＩマルチプレクシングが用いられ、ここで部分１はダイヤグラム１１４０に示された実施形態と同一であり、部分２及び部分３は表３に示されたオプションのうちので少なくとも一つによる第１ＰＭＩ ｉ１及び第２ＰＭＩ ｉ２の構成要素を含む。(表３のダイヤグラム１１４１に対する)例示は図１１Ｆに示されている。
【０１４２】
【表３】
2020502922.tif 000021
【０１４３】
(Ｎ０，１、Ｎ０，２)報告に対する候補値の数は(ＲＲＣを介して)設定されるＬ値によって変わる。次のオプションのうちの少なくとも一つは(Ｎ０，１、Ｎ０，２)を報告するのに用いられる。(Ｎ０，１、Ｎ０，２)に対してＤＥＦ Ａを仮定する一つのオプション(Ａｌｔ Ａ)で、Ｎ０，１及びＮ０，２は {０，１，．．．，２Ｌ−１}からの値を取る。(Ｎ０，１、Ｎ０，２)に対してＤＥＦ Ａを仮定する他のオプション(Ａｌｔ Ｂ)で、Ｎ０，１及びＮ０，２は{０，１，．．．，２Ｌ−２}からの値を取り、(ｉ１，３によって示された)最も強い係数に対するＷＢ振幅が０ではないので、これはＮ０，１及びＮ０，２を報告する時に除かれるのでＮ０，１及びＮ０，２に対する値の範囲は１ずつ減少されることができる。(Ｎ０，１、Ｎ０，２)に対してＤＥＦ Ｂを仮定する他のオプション(Ａｌｔ Ｃ)で、Ｎ０，１及びＮ０，２は{０，１，．．．，２Ｌ−１}からの値を取る。(Ｎ０，１、Ｎ０，２)に対してＤＥＦ Ｂを仮定する他のオプション(Ａｌｔ Ｄ)で、Ｎ０，１及びＮ０，２は{０，１，．．．，２Ｌ−２}(又は選択的に{０，１，．．．，２Ｌ−１})からの値を取り、(ｉ１，３)によって示された)最も強い係数に対するＷＢ振幅が常に０ではないので、これはＮ０，１及びＮ０，２報告する時に除かれるので(又は選択的に常に含まれるので)Ｎ０，１及びＮ０，２に対する値の範囲は１ずつ減少されることができる。(Ｎ０，１、Ｎ０，２)に対してＤＥＦ Ａを仮定する一つのオプション(Ａｌｔ Ｅ)で、Ｎ０，１は{０，１，．．．，２Ｌ−１}からの値を取り、ＲＩ＝１であればＮ０，２＝２Ｌであり、ＲＩ＝２であれば{０，１、．．．，２Ｌ−１}からの値を取る。(Ｎ０，１、Ｎ０，２)に対してＤＥＦ Ｂを仮定する一つのオプション(Ａｌｔ Ｆ)で、Ｎ０，１は{１，．．．，２Ｌ}からの値を取り、ＲＩ＝１であればＮ０，２＝０で、ＲＩ＝２であれば{１、．．．，２Ｌ}からの値を取る。(ｉ１，３)によって示された)最も強い係数が常に０ではないので(１である)Ｎ０，１及びＮ０，２が取ることができる最小値は１であることを注目する。選択的に、最も強い係数が(Ｎ０，１、Ｎ０，２)を決定する時の除かれる場合、Ｎ０，１は{０，．．．，２Ｌ−１}からの値を取り、ＲＩ＝１であればＮ０，２＝−１であり、ＲＩ＝２であれば{０、．．．，２Ｌ−１}からの値を取る。(Ｎ０，１、Ｎ０，２)に対する以前の値はＡｌｔ Ｆを含む後の実施形態で仮定される。(Ｎ０，１、Ｎ０，２)に対してＤＥＦ Ａを仮定する一つのオプション(Ａｌｔ Ｇ)で、Ｎ０，１は{０，１，．．．，Ｐ−１}からの値を取り、ＲＩ＝１であればＮ０，２＝Ｐで、ＲＩ＝２であれば{０，１，．．．，Ｐ−１}からの値を取り、ここで、０＜Ｐ≦２Ｌである。(Ｎ０，１、Ｎ０，２)に対してＤＥＦ Ｂを仮定する一つのオプション(Ａｌｔ Ｈ)で、Ｎ０，１は{２Ｌ−Ｐ + １，．．．，２Ｌ}からの値を取り、ＲＩ＝１であればＮ０，２＝０で、ＲＩ＝２であれば{２Ｌ−Ｐ＋１，．．．，２Ｌ}からの値を取り、ここで、０＜Ｐ≦２Ｌである。(ｉ１，３)によって示された)最も強い係数が常に０ではないので(１である)Ｎ０，１及びＮ０，２が取ることができる最小値は１であることを注目する。選択的に、最も強い係数が(Ｎ０，１、Ｎ０，２)を決定する時の除かれる場合、Ｎ０，１は{２Ｌ−Ｐ，．．．，２Ｌ−１}からの値を取り、ＲＩ＝１であればＮ０，２＝−１であり、ＲＩ＝２であれば{２Ｌ−Ｐ，．．．，２Ｌ−１}からの値を取る。(Ｎ０，１、Ｎ０，２)に対する以前の値はＡｌｔ Ｈを含む後の実施形態で仮定される。しかし、実施形態は一般的であり、以後の値に適用可能である。
【０１４４】
Ａｌｔ ＧとＡｌｔ ＨでＰに対する例示的な値はＰ＝Ｌで固定される。選択的に、Ｐは上位階層(ＲＲＣ)シグナリング又はさらに動的ＭＡＣ ＣＥ基盤又はＤＣＩ基盤シグナリングを介して設定される。
【０１４５】
このような実施形態の一つの下位実施形態で、ＲＩ及び(Ｎ０，１、Ｎ０，２)はＲＩ報告に対して １ビットを用いて別個で報告され、ＲＩ＝１であれば
【数１７】
2020502922.tif 000022
ビット(Ａｌｔ Ａ、Ａｌｔ Ｃ、Ａｌｔ Ｅ及びＡｌｔ Ｆの場合)又は
【数１８】
2020502922.tif 000023
ビット(Ａｌｔ Ｂ及びＤの場合)又は
【数１９】
2020502922.tif 000024
ビット(Ａｌｔ Ｇ及びＨの場合)が報告され、ＲＩ＝２であれば
【数２０】
2020502922.tif 000025
ビット(Ａｌｔ Ａ、Ａｌｔ Ｃ、Ａｌｔ Ｅ及びＡｌｔ Ｆの場合)又は
【数２１】
2020502922.tif 000026
ビット(Ａｌｔ Ｂ及びＤの場合)又は
【数２２】
2020502922.tif 000027
ビット(Ａｌｔ Ｇ及びＨの場合)を用いることが報告される。
【０１４６】
(Ａｌｔ Ａ乃至Ａｌｔ Ｄに基づく)このような実施形態の他の下位実施形態で、ＲＩ及び(Ｎ０，１、Ｎ０，２)は次のオプションのうちの少なくとも一つによって共同で報告される。(Ｎ０，１、Ｎ０，２)報告に対するＡｌｔ Ａ又はＡｌｔ Ｃを仮定する一つのオプションで、Ｎ０，１及びＮ０，２は{０，１，．．．，２Ｌ−１}からの値を取る。相応する共同ＲＩ及び(Ｎ０，１、Ｎ０，２)報告表は表４に示されたとおりである。選択的に、共同報告はそれぞれＬ＝２、３及び４に対する表５、表６及び表７に示されたように別個の表による。このような共同報告に対して報告するビットの数(Ｉ)はそれぞれ Ｌ＝２、３及び４に対する５、６及び７ビットに相応する
【数２３】
2020502922.tif 000028
である。(Ｎ０，１、Ｎ０，２)報告に対するＡｌｔ Ｂ又はＡｌｔ Ｄを仮定する一つのオプションで、Ｎ０，１及びＮ０，２は{０，１，．．．，２Ｌ−２}からの値を取る。相応する共同ＲＩ及び(Ｎ０，１、Ｎ０，２)報告表は表８に示されたとおりである。選択的に、共同報告はそれぞれＬ＝２、３及び４に対する表９、表１０及び表１１に示されたように別個の表による。このような共同報告に対して報告するビットの数(Ｉ)はそれぞれＬ＝２、３及び４に対する４、５及び６ビットに相応する
【数２４】
2020502922.tif 000029
である。
【０１４７】
【表４】
2020502922.tif 000030
【表５】
2020502922.tif 000031
【表６】
2020502922.tif 000032
【表７】
2020502922.tif 000033
【表８】
2020502922.tif 000034
【表９】
2020502922.tif 000035
【表１０】
2020502922.tif 000036
【表１１】
2020502922.tif 000037
【０１４８】
(Ａｌｔ Ｅ乃至Ａｌｔ Ｆに基づく)このような実施形態の他の下位実施形態で、ＲＩ及び(Ｎ０，１、Ｎ０，２)は次のオプションのうちの少なくとも一つによって共同で報告される。(Ｎ０，１、Ｎ０，２)報告に対するＡｌｔ Ｅを仮定する一つのオプションで、共同ＲＩ及び(Ｎ０，１、Ｎ０，２)報告表は表１２に示されたとおりである。選択的に、共同報告はそれぞれＬ＝２、３及び４に対する表１３、表１４及び表１５に示されたように別個の表による。このような共同報告に対して報告するビットの数(Ｉ)はそれぞれＬ＝２、３及び４に対する５、６及び７ビットに相応する
【数２５】
2020502922.tif 000038
である。(Ｎ０，１、Ｎ０，２)報告に対するＡｌｔ Ｆを仮定する一つのオプションで、共同ＲＩ及び(Ｎ０，１、Ｎ０，２)報告は表１６に示されたとおりである。選択的に、共同報告はそれぞれＬ＝２、３及び４に対する表１７、表１８及び表１９に示されたように別個の表による。このような共同報告に対して報告するビットの数(Ｉ)はそれぞれＬ＝２、３及び４に対する５、６及び７ビットに相応する
【数２６】
2020502922.tif 000039
である。
【０１４９】
【表１２】
2020502922.tif 000040
【表１３】
2020502922.tif 000041
【表１４】
2020502922.tif 000042
【表１５】
2020502922.tif 000043
【表１６】
2020502922.tif 000044
【表１７】
2020502922.tif 000045
【表１８】
2020502922.tif 000046
【表１９】
2020502922.tif 000047
【０１５０】
(Ａｌｔ Ｇ及びＡｌｔ Ｈに基づく)このような実施形態の他の下位実施形態で、ＲＩ及び(Ｎ０，１、Ｎ０，２)は次のオプションのうちの少なくとも一つによって共同に報告される。(Ｎ０，１、Ｎ０，２)報告に対するＡｌｔ Ｅを仮定する一つのオプションで、共同ＲＩ及び(Ｎ０，１、Ｎ０，２)報告表は表２０に示されたとおりである。選択的に、共同報告はそれぞれＬ＝２、３及び４に対する表２１、２２及び２３に示されたように別個の表による。このような共同報告に対して報告するビットの数(Ｉ)はそれぞれＬ＝２、３及び４に対する３、４及び５ビットに相応する
【数２７】
2020502922.tif 000048
である。(Ｎ０，１、Ｎ０，２)報告に対するＡｌｔ Ｆを仮定する一つのオプションで、共同ＲＩ及び(Ｎ０，１、Ｎ０，２)報告表は表２４に示されたとおりである。選択的に、共同報告はそれぞれＬ＝２、３及び４に対する表２５、２６及び２７に示されたように別個の表による。このような共同報告に対して報告するビットの数(Ｉ)はそれぞれＬ＝２、３及び４に対する３、４及び５ビットに相応する
【数２８】
2020502922.tif 000049
である。
【０１５１】
【表２０】
2020502922.tif 000050
【表２１】
2020502922.tif 000051
【表２２】
2020502922.tif 000052
【表２３】
2020502922.tif 000053
【表２４】
2020502922.tif 000054
【表２５】
2020502922.tif 000055
【表２６】
2020502922.tif 000056
【表２７】
2020502922.tif 000057
【０１５２】
図１１Ｇに示されたようにランク１−２を有するＴｙｐｅ ＩＩに適用可能なダイヤグラム１１５０に示された実施形態で、２部分ＵＣＩマルチプレクシングが用いられるが、ここで２部分はＲＩが部分１で明示的に報告されないということを除いてはダイヤグラム１１４０に示された実施形態と同一である。ＲＩは報告された(Ｎ０，１、Ｎ０，２)を用いて暗示的に誘導される。
特に、報告されたＮ０，２値は次のオプションのうちの少なくとも一つによってＲＩ値を誘導することに用いられる。(Ｎ０，１、Ｎ０，２)報告に対するＡｌｔ Ｅを仮定する一つのオプションで、Ｎ０，２＝２Ｌであれば、ＲＩ＝１であり、そうではなければ、
【数２９】
2020502922.tif 000058
ＲＩ＝２である。(Ｎ０，１、Ｎ０，２)報告に対するＡｌｔ Ｇを仮定する他のオプションで、Ｎ０，２＝Ｐであれば、ＲＩ＝１であり、そうではなければ、
【数３０】
2020502922.tif 000059
、ＲＩ＝２である。(Ｎ０，１、Ｎ０，２)報告に対するＡｌｔ Ｈを仮定する他のオプションで、Ｎ０，２＝０であれば、ＲＩ＝１であり、そうではなければ、
【数３１】
2020502922.tif 000060
、ＲＩ＝２である。
【０１５３】
図１１Ｇに示されたようにランク１−２を有するＴｙｐｅ ＩＩに適用可能なダイヤグラム１１５１に示された実施形態で、３部分ＵＣＩマルチプレクシングが用いられるが、ここで３部分はＲＩが部分１で明示的に報告されないということを除いては(表３での４個のオプションを有する)ダイヤグラム１１４１に示された実施形態と同一である。ＲＩは報告された(Ｎ０，１、Ｎ０，２)を用いて暗示的に誘導される。特に、報告されたＮ０，２値はダイヤグラム１１５０に示された実施形態でのオプションのうちの少なくとも一つによってＲＩ値を誘導することに用いられる。
【０１５４】
ダイヤグラム１１４０に示された実施形態の変形である他の実施形態で、０であるか０ではない ＷＢ振幅の数に対する(Ｎ０，１、Ｎ０，２)を報告する代りに、２つのビットマップの接続であるビットマップＢ、すなわち、
【数３２】
2020502922.tif 000061
を用いてそれぞれのＷＢ振幅に対するインジケーターが報告され、ここで、ビットマップ
【数３３】
2020502922.tif 000062
及びビットマップ
【数３４】
2020502922.tif 000063
のそれぞれは長さが２Ｌである。ビット
【数３５】
2020502922.tif 000064
であれば、相応するＷＢ振幅は０であり、ビット
【数３６】
2020502922.tif 000065
であれば、相応するＷＢ振幅は０ではない。選択的に、ビット
【数３７】
2020502922.tif 000066
であれば、相応するＷＢ振幅は０ではなく、ビット
【数３８】
2020502922.tif 000067
であれば、相応するＷＢ振幅は０である。ＲＩ＝１及び２に対するビットマップの例は表２８に示されている。したがって、ＲＩ＝１又は２及びＷＢ振幅ビットマップＢを報告するビットの数はそれぞれＬ＝２、３及び４に対する９、１３及び１７ビットに相応する４Ｌ＋１である。ＣＳＩ部分２でのＰＭＩの報告構成要素(ｉ１及びｉ２)に対するＰＭＩペイ・ロードは０ではないＷＢ振幅に相応するＰＭＩの構成要素だけが報告される必要があるのでＣＳＩ部分１がデコーディングされると、固定される。
【０１５５】
このような実施形態はさらに(Ｎ０，１、Ｎ０，２)報告をＷＢ振幅ビットマップＢ報告で取り替えることによってダイヤグラム１１４０、１１４１、１１５０及び／又は１１５１に示された実施形態の変形に適用可能である。
【０１５６】
さらに、与えられたビームに対し、４個のすべてのＷＢ振幅インジケーター(２個の偏光及び２個の階層)はゼロ(０)ＷＢ振幅を示した後、相応するビームはＰＭＩインデックスｉ１，２を用いて報告されない。選択的に、ビームは報告されたＷＢ振幅ビットマップにかかわらず報告される。
【０１５７】
【表２８】
2020502922.tif 000068
【０１５８】
他の実施形態で、(Ｎ０，１、Ｎ０，２)は次のオプションのうちの少なくとも一つによって報告される。一つのオプションで、Ｎ０，１及びＮ０，２はそれぞれ第１ＰＭＩ構成要素ｉ１，５，１及びｉ１，５，２又はｉ１，３，３及びｉ１，３，４又はｉ１，４，３及びｉ１，４，４を用いて別個で報告される。他のオプションで、Ｎ０，１及びＮ０，２はそれぞれ第１ＰＭＩ構成要素ｉ１，３，１及びｉ１，３，２を用いて共同で報告される。この場合に、ｉ１，３，１及びｉ１，３，２はＣＳＩ部分１で報告されるということを注目する。
【数３９】
2020502922.tif 000069
であり、ここで、
【数４０】
2020502922.tif 000070
はそれぞれ本開示で以前に定義されたｉ１，３，１及びｉ１，３，２に相応する。他のオプションで、Ｎ０，１及びＮ０，２はそれぞれ第１ＰＭＩ構成要素ｉ１，４，１及びｉ１，４，２を用いて共同で報告される。この場合に、ｉ１，４，１及びｉ１，４，２はＣＳＩ部分１で報告されるということを注目する。
【数４１】
2020502922.tif 000071
であり、ここで、
【数４２】
2020502922.tif 000072
はそれぞれ本開示で以前に定義されたｉ１，４，１及びｉ１，４，２に相応する。他のオプションで、Ｎ０，１及びＮ０，２はそれぞれ第１ＰＭＩ構成要素ｉ１，３，１、ｉ１，３，２、ｉ１，４，１及びｉ１，４，２を用いて共同で報告される。この場合に、ｉ１，３，１、ｉ１，３，２、ｉ１，４，１及びｉ１，４，２はＣＳＩ部分１に報告されるということを注目する。
【０１５９】
他の実施形態で、ＷＢ振幅ビットマップＢは(Ｎ０，１、Ｎ０，２)をビットマップＢ又は(Ｂ０、Ｂ１)で取り替えることによって以前の実施形態のオプションのうちの少なくとも一つによって報告される。
【０１６０】
少なくとも２個のＣＳＩ−ＵＣＩコードワードセグメント又は部分を有する上述した実施形態のうちの任意のものに対し、ＵＥが搬送波集成(ＣＡ)の場合に一つ以上(Ｍ＞１)のＤＬ構成要素搬送波(ＣＣ)に対するＣＳＩを報告するように設定される時、それぞれのコードワードセグメントは次のように形成されることができる。コードワードセグメントｋに対し、Ｍ個のＤＬ ＣＣに対するセグメントｋのＣＳＩ−ＵＣＩと連関されたビットシーケンスはチャンネルコーディングブロックでエンコーディングされる一つのＵＣＩコードワードセグメントｋで接続されることができる(ＣＣ０|ＣＣ１| ．．．|ＣＣＭ−１)。一つのコードワードセグメントだけが用いられる方式０に対し、Ｍ個の異なるＤＬ ＣＣに対するＣＳＩ−ＵＣＩと連関されたビットシーケンスはチャンネルコーディングブロックでエンコーディングされる一つのＵＣＩコードワードで接続されることができる(ＣＣ０|ＣＣ１| ．．．|ＣＣＭ−１)。
【０１６１】
上述した実施形態のうちの任意のことに対し、チャンネルコーディングブロックはＣＲＣ挿入、インターリビング及び／又はレートマッチングのような他のビットレベル機能を含むことができる。マルチプレクシングブロックはチャンネルインターリーバーを含むかチャンネルインターリーバーによるようになることができる。さらに、例えば、マルチプレクシング又はチャンネルコーディング前に繰り返しコーディング又はブロックコーディングによりいくつかの付加的なエラー保護(例えば、ＲＩの場合)が導入することができる。
【０１６２】
上述した実施形態のうちの任意のことに対し、少なくとも一つのＣＳＩパラメーターに対して一部付加的なコーディング利得(又はエラー保護)が必要であれば、ＣＳＩパラメーターを少なくとも第２ＣＳＩパラメーターにマルチプレクシングする、及び／又は上述したＣＳＩパラメーターを少なくとも第２ＣＳＩパラメーターで共同エンコーディングする前に、(繰り返し、シンプレックス(ｓｉｍｐｌｅｘ)又はブロックコーディングのような)余分のコーディングが適用されることができる。例えば、繰り返し、シンプレックス又はショート(ｓｈｏｒｔ)ブロックコーディングはマルチプレクシング及びチャンネルコーディング以前にＲＩに適用されることができる。そうすることによって、ＲＩに対するＢＬＥＲ要件は少なくとも他のＣＳＩパラメーターより低く設定されることができる。図９Ａの実施形態９００又は９０１で、繰り返し、シンプレックス又はショートブロックコーディングはこれをＣＱＩでマルチプレクシングする前にＲＩに適用されることができる。図９Ｂの実施形態９１０又は９１１で、繰り返し、シンプレックス又はショートブロックコーディングはこれをＣＱＩ及びＰＭＩ部分Ｉでマルチプレクシングする前にＲＩに適用されることができる。図１１Ａのダイヤグラム(１１００又は１１０１)で、繰り返し、シンプレックス又はショートブロックコーディングはこれをＣＱＩ−１及びＰＭＩ部分Ｉにマルチプレクシングする前にＲＩに適用されることができる。図１１Ｂのダイヤグラム(１１１０又は１１１１)で、繰り返し、シンプレックス又はショートブロックコーディングはこれをＣＱＩ−１でマルチプレクシングする前にＲＩに適用されることができる。
【０１６３】
上述した実施形態のうちの任意のことに対し、ＲＩはＣＳＩ報告帯域ごとに一つの報告を含む。同様に(少なくとも一つのＣＳＩ−ＲＳＲＰが隋伴されることができる)ＣＳＩはＣＳＩ報告帯域当たり一つの報告を含む。ＣＱＩは、ＵＥ設定によって、ＣＳＩ報告帯域当たり一つの報告又はＮＳＢ報告を含むことができ、ここで、ＮＳＢは設定されたＣＳＩ報告帯域内のサブバンド数である。同様に、ＰＭＩは、ＵＥ設定によって、ＣＳＩ報告帯域当たり一つの報告又はＮＳＢ報告を含むことができ、ここで、ＮＳＢは設定されたＣＳＩ報告帯域内のサブバンド数である。
【０１６４】
ＣＳＩが一つのスロットで報告された多数のセグメントを含む上述した実施形態の任意のことに対し、ＲＩが第１セグメントで報告されるたびに、ＣＲＩはさらにＲＩと同様に第１セグメントで報告されることができる。
【０１６５】
上述した実施形態のうちの任意のことに対し、Ａ−ＣＳＩのＣＳＩ−ＵＣＩコンテンツは一つのサブフレーム／スロット内で送信されたり多数のサブフレーム／スロットで分割されたりすることができる。ＣＳＩ−ＵＣＩがＵＬ−ＳＣＨデータで送信されると、ＣＳＩ−ＵＣＩは“データと類似(ｓｉｍｉｌａｒ ｔｏ ｄａｔａ)”に扱われることができるが、ＬＴＥと類似の設定可能なＭＣＳ又はベータオフセットを介してより多いコーディングされることができる。ここで、“データと類似”はデータと同一なＲＥマッピング方式及び／又は同一な階層マッピング方式(すなわち、階層、ＲＥ及びＯＦＤＭシンボルにかけたマッピング)の使用を含む。しかし、制御情報に対するチャンネルコーディングはデータと異なることができる(例えば、データはＬＤＰＣを用いるが、制御はポーラータイコード又はテール−バイティング(ｔａｉｌ−ｂｉｔｉｎｇ)コンボリューションコード／ＴＢＣＣを用いる)。
【０１６６】
上述した実施形態及び下位実施形態のうちの任意のことは独立的に用いられることができるか少なくとも異なることと組み合わせて用いられることができる。少なくとも一つの他の実施形態／下位実施形態と共に用いられる場合、使用条件の特定セットが特定されることができる。例えば、方式０は方式２Ａ又は２Ｂと共に用いられることができる。全体ＣＳＩ報告帯域(ＣＲＢ)、すなわち、“広帯域”又は“部分帯域”ＰＭＩ報告(Ｔｙｐｅ Ｉ ＣＳＩ、Ｔｙｐｅ ＩＩＣＳＩ又は２つのタイプいずれもの場合)に対して一つのＰＭＩだけが報告される時の方式０が用いられることができる。方式２Ａ又は２Ｂは他のケース、すなわち、サブバンドＰＭＩが報告される時に用いられることができる。この場合に、条件のうちの一つはＰＭＩ周波数細分性を伴う。
【０１６７】
階層マッピングに対し、データシンボル及び制御シンボルに適用される例示的な同一な方式は次のように説明されることができる。
【０１６８】
ＵＥがＰＵＳＣＨ上で１−階層送信が承認される時、変調されたシンボル{ｄ(ｉ)}(ｉによってインデクシングされる)のストリームはすべての変調されたシンボルを直列で接続することによって形成される。一つ以上のコードブロック(ＣＢ)がコードワードと連関される時、多数のＣＢと連関されたシンボルは接続される。このようなシンボルストリーム{ｄ(ｉ)}は階層マッピングに対する入力の役目をする。周波数優先(ｆｒｅｑｕｅｎｃｙ−ｆｉｒｓｔ)マッピングに対し、変調されたシンボルのストリームは先に割り当てられたＰＲＢのセット内の周波数サブキャリア(ｆｒｅｑｕｅｎｃｙ ｓｕｂ−ｃａｒｒｉｅｒ、ＲＥ)を介してマッピングされた後、スケジューリング時間ユニット(スロット又はサブフレーム)内のＯＦＤＭシンボルを介してマッピングされる。例示のために、{(ｋ，ｌ)}にインデクシングされた“利用可能なＲＥのセット”にマッピングされる変調されたシンボル{ｄ(ｉ)}のストリームが与えられたら(ここで、ｋ及びｌはそれぞれ周波数／サブキャリア及び時間／ＯＦＤＭシンボルインデックスを示す)、インデックスｉが増加されることによって、周波数優先マッピングは先ずインデックスｋを０でｋＭＡＸ−１(固定されたｌに対して)で増加させた後のインデックスｌを増加させることによってｄ(ｉ)をマッピングする。すなわち、ｋ＝ｍｏｄ(ｉ，ｋＭＡＸ)及び
【数４３】
2020502922.tif 000073
であり、ここで、ｋＭＡＸは割り当てられたＰＲＢ内の周波数サブキャリア(ＲＥ)の数である。“利用可能なＲＥのセット”はＵＬ−ＳＣＨデータ及びＣＳＩ−ＵＣＩより優先するＵＬ ＲＳ又は他のＵＬ信号／チャンネルによって占有されないこととして定義される。
【０１６９】
ＵＥがＬ＞１であるＰＵＳＣＨ上でＬ−階層送信が承認される時、変調されたシンボル{ｄ(ｉ)}(ｉによってインデクシングされる)のストリームはさらにＲＥ(周波数／サブキャリア及び時間／ＯＦＤＭシンボルインデックス)に付加してＬ階層を介してマッピングされる。{ｄ(ｉ)}がマッピングされる方式は垂直、水平又は対角線空間マッピングが用いられるのかだけでなく、(階層を通じる)空間マッピングが変調されたシンボル又はＣＢの細分性に行われるかに依存する。しかし、与えられた階層の場合、ＲＥを通じるマッピングは１−階層送信の場合と同一な方式で行われる。例えば、シンボル−レベル垂直空間マッピングが用いると、シンボルのストリームは先ずＬ階層を介してマッピングされた後、割り当てられたＰＲＢのセット内の周波数サブキャリア(ＲＥ)を介してマッピングされ、その次のスケジューリング時間ユニット(スロット又はサブフレーム)内のＯＦＤＭンボルを介してマッピングされる。
【数４４】
2020502922.tif 000074
をそれぞれ階層当たりシンボル数、一つのＣＷでのシンボル数、階層１に対するシンボルストリーム及びＣＷに対するシンボルストリームとして示すと、ＣＷ対階層マッピングは次のように説明されることができる。ここで、ＣＢセグメント化及び／又はレートマッチングは
【数４５】
2020502922.tif 000075
がＬで分けることができることを保障する。
【０１７０】
【数４６】
2020502922.tif 000076
【０１７１】
ＣＢレベル垂直空間マッピングが用いると、(単一ＣＷと連関される)Ｌ個のＣＢからのすべての変調されたシンボルを直列で接続することによって形成される変調されたシンボル{ｄ(ｉ)}のストリームが与えられると、変調されたシンボルの総数は
【数４７】
2020502922.tif 000077
のようであり、ここで、ＢはＣＢ当たり変調されたシンボルの数で、
【数４８】
2020502922.tif 000078
は一つのスケジューリング時間ユニット(スロット又はサブフレーム)内のすべてのＯＦＤＭシンボルにかけて割り当てられたＰＲＢの全体セット内のＲＥの総数である。したがって、
【数４９】
2020502922.tif 000079
である。すべてのＣＢは同一なサイズで、同一なＭＣＳを用いる。すなわち、{ＣＢ ｎ、ＣＢ ｎ+１、．．．、ＣＢ ｎ＋Ｌ−１}はｎの異なる値に対して同一なＣＢサイズＢを共有する。ここで、変調されたシンボルｄ(ｉ)は次のように階層１と連関された変調されたシンボルのストリームにマッピングされる：
【０１７２】
【数５０】
2020502922.tif 000080
【０１７３】
上述したすべての階層マッピング方式に対し、ＲＥマッピングに対する開始点(ｋ及びｌがそれぞれ周波数／サブキャリア及び時間／ＯＦＤＭシンボルインデックスを示す{(ｋ，ｌ)})はＣＳＩ−ＵＣＩシンボルがデータシンボルでマルチプレクシングされるか否か、若しくは(ＵＬ ＤＭＲＳ、ＵＬ ＳＲＳ、ＨＡＲＱ−ＡＣＫシンボルのような)一部他の信号が存在するかのような多様な要素に依存することができる。さらに、ＣＳＩ−ＵＣＩに対する２以上のコードワードセグメントが用いられる場合、異なるコードワードセグメントと連関されたＲＥマッピングのための開始点は相違することができる。
【０１７４】
次の実施形態はＵＬ−ＳＣＨデータシンボルの存在時にＣＳＩ−ＵＣＩ変調されたシンボルのマルチプレクシングに係る。
【０１７５】
ＣＳＩ−ＵＣＩがＵＬ−ＳＣＨデータなしに送信される時、これは以前に説明された意味で“データ送信と類似”に扱われる。
【０１７６】
チャンネルコーディング及び変調マッピング後に、ＣＳＩ−ＵＣＩがＵＬ−ＳＣＨデータ(すなわち、データ及びＣＳＩ送信のいずれもに対するリクエストを含むＵＬ承認)で送信される時、ＣＳＩ−ＵＣＩ(ＵＬ制御シンボル)と連関された変調されたシンボルはデータ(ＵＬデータシンボル)と連関された変調されたシンボルでマルチプレクシングされる。
【０１７７】
２個のセグメント(２個の部分)を有する方式の場合、ｇＮＢは先ず他のセグメント前にコードワードセグメント１(ＲＩを含み)をデコーディングすることができる。例えば、ＲＩがセグメント１に含まれる時、セグメント１が成功的にデコーディングされると、セグメント２のペイ・ロードサイズ(このサイズはＲＩ−従属的である)はデコーディングされたＲＩ値に基づいて知られる。(データ及びＣＳＩ−ＵＣＩのいずれもに対して)より低い待機時間デコーディングを容易にするのために、ＣＳＩ−ＵＣＩセグメント１はＣＳＩ−ＵＣＩを含むＵＬサブフレーム／スロット内でできるだけ早期に配置されることができる(したがって、初めいくつの利用可能なＯＦＤＭシンボルでの周波数優先マッピング)。一方、コードワードセグメント２と連関された変調されたシンボルは多様な方式でデータシンボルでマルチプレクシングされることができる。いくつかの例は分散マッピング及び地域化されたマッピング(時間及び／又は周波数)を含む。
【０１７８】
図１２は、ＣＳＩ−ＵＣＩがＵＬ−ＳＣＨデータと共に送信されるマルチプレクシング方式のいくつかの例を示す。２−階層送信は２−ＰＲＢ(一つのＰＲＢは１２個のサブキャリア及び一つのスロット７個のＯＦＤＭシンボルを含み)リソース割り当てでリクエストされる。シンボルレベルの垂直階層マッピングは例示のために仮定される。ＵＬ ＤＭＲＳは第１ＯＦＤＭシンボルに位置されることに仮定される。第１例示的なマルチプレクシング方式１２００で、セグメント２はスロットの端部に向けてマッピングされ、セグメント２がデコーディングされることができる前にセグメント１に対する少しのデコーディング時間をｇＮＢが許容する。第２例示的なマルチプレクシング方式１２１０で、セグメント２はセグメント１に用いられた後のＯＦＤＭシンボル上にマッピングされる。代案で、セグメント２はセグメント１後に右側で(連続的に)マッピングされることができる。第３例示的なマルチプレクシング方式１２２０で、セグメント２はスロット及びＰＲＢにかけて分散方式にマッピングされる。他のマッピング方式(パターン)は開示された説明及び例から通常の技術者によって直接的な方式に推論されることができる。
【０１７９】
図１２に示された例で、セグメント１は隣接した(連続的)サブキャリアのセットを介して第２ＯＦＤＭシンボル上にマッピングされる。このような地域化されたマッピング周波数ドメインはセグメント１のコンパクトした位置を許容するが、周波数ダイバシティ(ｆｒｅｑｕｅｎｃｙ ｄｉｖｅｒｓｉｔｙ)が不足なことがある。図１２の例の変形で、セグメント１は割り当てられたＰＲＢセットを介して分散方式にマッピングされる。例えば、セグメント１の生成されたシンボルは割り当てられたすべてのＰＲＢセットにわたって多少均等に分散されることができる。図１３はこのような方式で(この図面では第２ＯＦＤＭシンボルで)一つのＯＦＤＭシンボル上にマッピングされたセグメント１のいくつかの例を示す。セグメント２はこの図面に示されていない。２−階層送信は２−ＰＲＢ(一つのＰＲＢは１２個のサブキャリア及び一つのスロット７個のＯＦＤＭシンボルを含み)リソース割り当てでリクエストされる。シンボルレベルの垂直階層マッピングは例示のために仮定される。ＵＬ ＤＭＲＳは第１ＯＦＤＭシンボル及び第２ＯＦＤＭシンボルのセグメント１に位置されることで仮定される。例示的なマルチプレクシング方式１３００で、セグメント１は割り当てられたＰＲＢの半分を占めと、２個の割り当てられたＰＲＢにかけて均等に分散する。例示的なマルチプレクシング方式１３１０で、セグメント１は割り当てられたＰＲＢの２／３を占めると、２個の割り当てられたＰＲＢにかけて均等に分散する。セグメント１に用いられる割り当てられたＰＲＢＳの部分は(例えば、要求されたＢＬＥＲを満たすため)ＵＣＩに用いられたＭＣＳだけでなくＣＳＩ−ＵＣＩペイ・ロードに依存することができる。他のマッピング方式(パターン)は開示された説明及び例から通常の技術者によって直接的な方式に推論されることができる。
【０１８０】
上述した例で、セグメント１はただ一つのＯＦＤＭシンボル上にマッピングされ、さらに、可能な最も初期のＯＦＤＭシンボル(この例では第１ＯＦＤＭシンボルがＵＬ ＤＭＲＳに用いられるから第２ＯＦＤＭシンボル)上にマッピングされる。セグメント１ＣＳＩ−ＵＣＩのペイ・ロードが一つ以上ＯＦＤＭシンボル(ｎ＞１)が必要な程度に充分に大きい時、最も早いＯＦＤＭシンボルが用いられることができる。スロット内の第１ＯＦＤＭシンボルがＵＬ ＤＭＲＳに用いると、第１シンボル後のｎ個のＯＦＤＭシンボルはセグメント１に用いられる。ｎ＞１ＯＦＤＭシンボルが用いられる時、割り当てられたＰＲＢ内のサブキャリアにかけた地域化及び分散したマッピングのいずれもがこれにより拡張されることができる。
【０１８１】
構成要素４に対して説明されたそれぞれの実施形態はＲＩ依存ペイ・ロードサイズを有する少なくとも一つのＣＳＩパラメーターを含む非常に大きいペイ・ロード(周期的、半永久的又は非周期的)、広帯域／部分帯域(設定されたＣＳＩ報告帯域当たり一つの報告)又はサブバンド(設定されたＣＳＩ報告帯域内のサブバンド当たり一つの報告)を有したＣＳＩ報告に(一般的に)適用される。連関されたＣＳＩ−ＵＣＩは(ＵＬ−関連されたＤＣＩでのリソース割り当てフィールドによって示されたように)ＵＬ−ＳＣＨデータ送信のために割り当てられたことの少ない数のＰＲＢ又はＰＲＢの部分(一つのＰＲＢ内のサブキャリアセット及び／又は一つのスロット内のＯＦＤＭシンボルセット)を割り当てることによってＰＵＳＣＨを介して送信されることができる。代案で、連関されたＣＳＩ−ＵＣＩは(ＵＬ−関連したＤＣＩでのリソース割り当てフィールドによって示されたように)ＵＬ−ＳＣＨデータ送信のために割り当てられたことと同一な数のＰＲＢ及び／又はＯＦＤＭシンボルを用いてこれをマッピングすることによってＰＵＳＣＨを介して送信されることができる。ＣＳＩ−ＵＣＩ送信のために用いられる時間−周波数リソースの量はペイ・ロードサイズ及びマルチプレクシング方式に依存する。上述したように、これはＣＳＩ−ＵＣＩがＵＬ−ＳＣＨデータでマルチプレクシングされるか否かと関係なく行われることができる。
【０１８２】
上述した方式の何種類変形は次のようなことがある。
【０１８３】
一つの変形実施形態で、ＵＬデータ及びＣＳＩ−ＵＣＩはいずれも同一な階層の数(ランク)で送信され、ここで、階層の数は連関されたＵＬ−関連されたＤＣＩで示される。ＣＳＩ−ＵＣＩ送信に用いられるＭＣＳは(ＬＴＥの場合にベータオフセットと類似な)特定オフセットを用いてＵＬデータ送信に割り当られたＭＣＳによって決定される。このようなオフセットは仕様に固定されることができるか上位階層シグナリング、ＭＡＣ ＣＥ又はＬ１ ＤＬ制御シグナリングを介して設定されることができる。このようなオフセットがＬ１制御シグナリングを介してシグナリングされる時、このようなオフセットはＵＬデータ送信をスケジューリングする同一なＵＬ−関連されたＤＣＩに含まれることができる。このようなオフセットが仕様に固定されるか上位階層シグナリング又はＭＡＣ ＣＥを介して設定される時、オフセットの値はランク従属的であるかランク独立的であっても良い。例えば、オフセットは上位ランク値に対してより大きいかより小さいことがある。さらに、ＣＳＩ−ＵＣＩ送信のためのＭＣＳが特定値以下に落ちないようにするためにＣＳＩ−ＵＣＩに対する最小(下限)ＭＣＳが定義されることができる。代案で、最小(下限)ＭＣＳの代りに、ＣＳＩ−ＵＣＩに対するＭＣＳは必要な時の繰り返しコーディングを用いて低められることができる。
【０１８４】
他の変形実施形態で、ＣＳＩ−ＵＣＩはＵＬデータから異なる階層の数(ランク)で送信されることができる。例えば、ＣＳＩ−ＵＣＩ送信に用いられる階層の数はＵＬデータに用いられる階層の数より少ないか同一である。この場合に、ＣＳＩ−ＵＣＩ送信のために用いられた階層の数及びＭＣＳはいずれも(ＬＴＥの場合にベータオフセットと類似な)少なくとも一つのオフセット値と共に連関されたＵＬ−関連するＤＣＩで示されたようにＵＬデータ送信に用いられた階層の数及びＭＣＳによって決定される。ここで、ＣＳＩ−ＵＣＩ送信に用いられる階層の数及びＭＣＳは共同で又は別個で決定されることができる。例示的な手続きは次のようである。与えられたオフセット値に対し、ＣＳＩ−ＵＣＩ送信に用いられたＭＣＳは先ずＵＬデータ送信に用いられるＭＣＳから決定される。最も低いＭＣＳがオフセットに対して相変らず不十分に低ければ(例えば、ＣＳＩ−ＵＣＩ受信に必要なＢＬＥＲターゲットが確保されるほど充分に低くなければ)、ＣＳＩ−ＵＣＩ送信に対するランクは低くなることができる。その後、ＭＣＳを決定するプロセスは低いランク値に対して繰り返される。したがって、ＣＳＩ−ＵＣＩ送信に対するＭＣＳとランクはオフセットだけではなくＵＬデータ送信に対するＭＣＳとランクに基づいて共同で決定される。
【０１８５】
他の変形実施形態で、ＣＳＩ−ＵＣＩはＣＳＩ−ＵＣＩに対する全体ペイ・ロードがＸより大きい場合にだけランク＞１で送信されることができる(ここで、Ｘは仕様に固定されるか上位階層シグナリングを介して設定されることができる)。ＣＳＩ−ＵＣＩがデータと共に送信される時、さらに(他の条件と共に又は別個で)用いられることができる条件はデータがランク＞１で送信される時である。そうではなければ、ＣＳＩ−ＵＣＩはランク−１で送信される。代案で、このようなペイ・ロード−依存基準はチャンネルコーディング方式とリンク(又は暗示的に使用)されることができる。すなわち、ＣＳＩ−ＵＣＩはチャンネルコーディング方式Ａが用いられる時にだけ(例えば、ＬＤＰＣ)ランク＞１で送信されることができる。
【０１８６】
他の変形実施形態で、ＣＳＩ−ＵＣＩがランク−１(一つの階層)で送信される時、いくつかの代案が適用可能である。第１代案で、(変調マッピング後に)ＣＳＩ−ＵＣＩシンボルはＵＬデータ送信に用いられるすべての階層にかけて繰り返されることができる。第２代案で、(変調マッピング後に)ＣＳＩ−ＵＣＩシンボルは遠慮透明な送信ダイバシティ方式ですべての階層にかけて送信されることができる。第３代案で、(変調マッピング後に)ＣＳＩ−ＵＣＩシンボルはＲＥ−レベル又はＰＲＢ−レベルプリコーダーサイクリングですべての階層にかけて送信されることができる。第４代案で、(変調マッピング後に)ＣＳＩ−ＵＣＩシンボルは(連関されたＵＬ承認及びＣＳＩリクエストを含むＵＬ−関連されたＵＣＩを介してＵＥにシグナリングされる)割り当られたランク−１プリコーダーですべての階層にかけて送信されることができる。第５代案で、(変調マッピング後に)ＣＳＩ−ＵＣＩシンボルはＵＥによって決定されたランク−１プリコーダーですべての階層にかけて送信されることができる。
【０１８７】
多重セグメントＵＣＩ／ＣＳＩのような非周期的ＣＳＩ(Ａ−ＣＳＩ)に関する上述した実施形態のうちの任意のことはさらに半永久的ＣＳＩ(ＳＰ−ＣＳＩ)に用いられることができる。
【０１８８】
上述した変形実施形態のうちの任意ののは独立的に又は少なくとも一つの他の変形実施形態と組み合わせて用いられることができる。
【０１８９】
図１４は、本開示の実施形態によってＵＥがＣＳＩ設定情報を受信して多重セグメントＣＳＩを報告する例示的な方法１４００に対するフローチャートを示す。例えば、方法１４００はＵＥ１１６によって行われることができる。
【０１９０】
方法１４００はＵＥがＣＳＩ設定情報を受信してデコーディングすることで開始する(段階１４０１。その後、ＵＥは設定情報によってＣＳＩを計算して(段階１４０２)、アップリンク(ＵＬ)チャンネル上でＣＳＩを送信する(段階１４０３)。
【０１９１】
このような方法で、ＣＳＩはＮ＞１個のセグメントを含み、一つのスロットで送信され、第１セグメントは少なくともランクインジケーター(ＲＩ)及び少なくとも一つの他のＣＳＩパラメーターを含む。例えば、Ｎは２であれば良いが、ここで第１セグメントはさらに第１コードワード(ＣＷ)に対するチャンネル品質インジケーター(ＣＱＩ)を含む。他の例で、第１ＣＷに対するＣＱＩに付加し、第１セグメントはさらにそれぞれ第１及び第２階層に対する多数の報告された広帯域振幅係数に相応する２個のインジケーターを含む。これはＮＲでサポートされるＴｙｐｅ ＩＩ ＣＳＩには一般的である。このような２つの例に対して第２セグメントはプリコーディングマトリックスインジケーター(ＰＭＩ)と連関されたＣＳＩパラメーターを含む。ＵＥが最大８個の階層を受信するために構成されると、第２セグメントはさらに第１セグメントで報告されたＲＩが４より大きい時の第２ＣＷに対するＣＱＩを含む。このようなすべての例に対し、第１セグメントはさらにＣＳＩ−基準−信号リソースインジケーター(ＣＲＩ)を含む。
【０１９２】
図１５は、本開示の実施形態によってＢＳがＣＳＩ設定情報を送信し、ＵＥ(ＵＥ−ｋ)としてラベリングされる)に対する多重セグメントＣＳＩ報告を受信する例示的な方法１５００に対するフローチャートを示す。例えば、方法１５００はＢＳ１０２によって行われることができる。
【０１９３】
方法１５００はＢＳがＵＥ(ＵＥ−ｋで命名される)に対するＣＳＩ設定情報を生成することで開始した後(段階１５０１)、ＣＳＩ設定情報をＵＥ−ｋで送信する(段階１５０２)。そんな後、ＢＳはＵＥ−ｋからＣＳＩ報告を受信する(段階１５０３)。
【０１９４】
このような方法で、ＣＳＩはＮ＞１個のセグメントを含み、一つのスロットで送信され、第１セグメントは少なくともランクインジケーター(ＲＩ)及び少なくとも一つの他のＣＳＩパラメーターを含む。例えば、Ｎは２であれば良いが、ここで、第１セグメントはさらに第１コードワード(ＣＷ)に対するチャンネル品質インジケーター(ＣＱＩ)を含む。他の例で、第１ＣＷに対するＣＱＩに付加し、第１セグメントはさらにそれぞれ第１及び第２階層に対する多数の報告された広帯域振幅係数に相応する２個のインジケーターを含む。これはＮＲでサポートされるＴｙｐｅ ＩＩ ＣＳＩには一般的である。このような２つの例に対して第２セグメントはプリコーディングマトリックスインジケーター(ＰＭＩ)と連関されたＣＳＩパラメーターを含む。ＵＥが最大８個の階層を受信するために構成されると、第２セグメントはさらに第１セグメントで報告されたＲＩが４より大きい時の第２ＣＷに対するＣＱＩを含む。このようなすべての例に対し、第１セグメントはさらにＣＳＩ−基準−信号リソースインジケーター(ＣＲＩ)を含む。
【０１９５】
図１４及び図１５は、それぞれ設定情報を受信してＵＥを構成する方法の例を示すが、図１４及び図１５に対する多様な変更が成ることができる。例えば、一連の段階として示されたが、それぞれの図面での多様な段階は一つ以上の実施形態で重ねるか、相違する手順で発生するか、何回発生するか行われないこともある。
【０１９６】
本開示は例示的な実施形態で説明されたが、多様な変更及び修正が通常の技術者によって又は通常の技術者に提案されることができる。本開示は添付された請求項の範囲内でこのような変更及び修正を含むことに意図される。
【符号の説明】
【０１９７】
１００  無線ネットワーク
１０１，１０２，１０３  基地局（ＢＳ）
１１１，１１２，１１３，１１４，１１５，１１６  ユーザ装置（ＵＥ）
１２０，１２５  カバレッジ領域
１３０  ＩＰネットワーク
【図１】
2020502922.tif 000081
【図２Ａ】
2020502922.tif 000082
【図２Ｂ】
2020502922.tif 000083
【図３Ａ】
2020502922.tif 000084
【図３Ｂ】
2020502922.tif 000085
【図４】
2020502922.tif 000086
【図５】
2020502922.tif 000087
【図６】
2020502922.tif 000088
【図７】
2020502922.tif 000089
【図８】
2020502922.tif 000090
【図９Ａ】
2020502922.tif 000091
【図９Ｂ】
2020502922.tif 000092
【図１０】
2020502922.tif 000093
【図１１Ａ】
2020502922.tif 000094
【図１１Ｂ】
2020502922.tif 000095
【図１１Ｃ】
2020502922.tif 000096
【図１１Ｄ】
2020502922.tif 000097
【図１１Ｅ】
2020502922.tif 000098
【図１１Ｆ】
2020502922.tif 000099
【図１１Ｇ】
2020502922.tif 000100
【図１２】
2020502922.tif 000101
【図１３】
2020502922.tif 000102
【図１４】
2020502922.tif 000103
【図１５】
2020502922.tif 000104
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
無線通信システムにおける端末のＣＳＩ（ｃｈａｎｎｅｌ  ｓｔａｔｅ  ｉｎｆｏｒｍａｔｉｏｎ）伝送方法において、
基地局から、広帯域（ｗｉｄｅｂａｎｄ）ＣＱＩ（ｃｈａｎｎｅｌ  ｑｕａｌｉｔｙ  ｉｎｆｏｒｍａｔｉｏｎ）又は狭帯域（ｓｕｂｂａｎｄ）ＣＱＩを指示する第１情報と、広帯域ＰＭＩ（ｐｒｅｃｏｄｉｎｇ  ｍａｔｒｉｘ  ｉｎｄｉｃａｔｏｒ）又は狭帯域ＰＭＩを指示する第２情報と、ＣＳＩ報告が生成される狭帯域のサブセット（ｓｕｂｓｅｔ）を指示する第３情報とを含み、前記ＣＳＩ報告を設定するメッセージを受信する段階と、
前記第１情報、前記第２情報、及び前記第３情報のうち少なくとも一つに基づいて前記ＣＳＩ報告を生成する段階と、
前記ＣＳＩ報告を前記基地局に伝送する段階と、を含む方法。
【請求項２】
前記第１情報が前記広帯域ＣＱＩを指示し、前記第２情報が前記広帯域ＰＭＩを指示すると、前記生成する段階は、ＣＲＩ（ＣＳＩ  ｒｅｆｅｒｅｎｃｅ  ｓｉｇｎａｌ  ｉｎｄｉｃａｔｏｒ）と共にＲＩ（ｒａｎｋ  ｉｎｄｉｃａｔｏｒ）、ＰＭＩ及びＲＳＲＰ（ｒｅｆｅｒｅｎｃｅ  ｓｉｇｎａｌ  ｒｅｃｅｉｖｅｄ  ｐｏｗｅｒ）のうち少なくとも一つをマルチプレクシングする段階を含むものである、請求項１に記載の方法。
【請求項３】
前記伝送する段階は、前記ＣＳＩ報告を一つのスロット内のＰＵＣＣＨ（ｐｈｙｓｉｃａｌ  ｕｐｌｉｎｋ  ｃｏｎｔｒｏｌ  ｃｈａｎｎｅｌ）上で伝送するものである、請求項２に記載の方法。
【請求項４】
前記ＣＳＩ報告が一つのスロット内のＰＵＳＣＨ（ｐｈｙｓｉｃａｌ  ｕｐｌｉｎｋ  ｓｈａｒｅｄ  ｃｈａｎｎｅｌ）上で伝送されると、前記ＣＳＩ報告は、第１パート及び第２パートを含み、
前記第１パートは、第１コードワードのためのＲＩ、ＣＲＩ及びＣＱＩを含み、
前記第２パートは、第２コードワードのためのＰＭＩ及びＣＱＩを含むものである、請求項１に記載の方法。
【請求項５】
前記ＣＳＩ報告が一つのスロット内のＰＵＳＣＨ上で伝送され、上位階層シグナリングによってコードブックタイプ２が設定されると、前記ＣＳＩ報告は、第１パート及び第２パートを含み、
前記第１パートは、各々のレイヤーのためのＲＩ、ＣＱＩ及びノンゼロ（ｎｏｎ−ｚｅｒｏ）広帯域振幅係数（ｗｉｄｅｂａｎｄ  ａｍｐｌｉｔｕｄｅ  ｃｏｅｆｆｉｃｉｅｎｔｓ）の個数の指示子を含み、
前記第２パートは、ＰＭＩを含むものである、請求項１に記載の方法。
【請求項６】
無線通信システムにおいてＣＳＩ（ｃｈａｎｎｅｌ  ｓｔａｔｅ  ｉｎｆｏｒｍａｔｉｏｎ）を伝送する端末において、
信号を送信及び受信するように設定された送受信部と、
前記送受信部に接続され、基地局から、広帯域（ｗｉｄｅｂａｎｄ）ＣＱＩ（ｃｈａｎｎｅｌ  ｑｕａｌｉｔｙ  ｉｎｆｏｒｍａｔｉｏｎ）又は狭帯域（ｓｕｂｂａｎｄ）ＣＱＩを指示する第１情報と、広帯域ＰＭＩ（ｐｒｅｃｏｄｉｎｇ  ｍａｔｒｉｘ  ｉｎｄｉｃａｔｏｒ）又は狭帯域ＰＭＩを指示する第２情報と、ＣＳＩ報告が生成される狭帯域のサブセット（ｓｕｂｓｅｔ）を指示する第３情報とを含み、前記ＣＳＩ報告を設定するメッセージを受信し、前記第１情報、前記第２情報、及び前記第３情報のうち少なくとも一つに基づいて前記ＣＳＩ報告を生成し、前記ＣＳＩ報告を前記基地局に伝送するように設定された制御部と、を含む端末。
【請求項７】
前記第１情報が前記広帯域ＣＱＩを指示し、前記第２情報が前記広帯域ＰＭＩを指示すると、前記制御部は、ＣＲＩ（ＣＳＩ  ｒｅｆｅｒｅｎｃｅ  ｓｉｇｎａｌ  ｉｎｄｉｃａｔｏｒ）と共にＲＩ（ｒａｎｋ  ｉｎｄｉｃａｔｏｒ）、ＰＭＩ及びＲＳＲＰ（ｒｅｆｅｒｅｎｃｅ  ｓｉｇｎａｌ  ｒｅｃｅｉｖｅｄ  ｐｏｗｅｒ）のうち少なくとも一つをマルチプレクシングするように更に設定されるものである、請求項６に記載の端末。
【請求項８】
前記制御部は、前記ＣＳＩ報告を一つのスロット内のＰＵＣＣＨ（ｐｈｙｓｉｃａｌ  ｕｐｌｉｎｋ  ｃｏｎｔｒｏｌ  ｃｈａｎｎｅｌ）上で伝送するように更に設定されるものである、請求項７に記載の端末。
【請求項９】
前記ＣＳＩ報告が一つのスロット内のＰＵＳＣＨ（ｐｈｙｓｉｃａｌ  ｕｐｌｉｎｋ  ｓｈａｒｅｄ  ｃｈａｎｎｅｌ）上で伝送されると、前記ＣＳＩ報告は、第１パート及び第２パートを含み、
前記第１パートは、第１コードワードのためのＲＩ、ＣＲＩ及びＣＱＩを含み、
前記第２パートは、第２コードワードのためのＰＭＩ及びＣＱＩを含むものである、請求項６に記載の端末。
【請求項１０】
前記ＣＳＩ報告が一つのスロット内のＰＵＳＣＨ上で伝送され、上位階層シグナリングによってコードブックタイプ２が設定されると、前記ＣＳＩ報告は、第１パート及び第２パートを含み、
前記第１パートは、各々のレイヤーのためのＲＩ、ＣＱＩ及びノンゼロ（ｎｏｎ−ｚｅｒｏ）広帯域振幅係数（ｗｉｄｅｂａｎｄ  ａｍｐｌｉｔｕｄｅ  ｃｏｅｆｆｉｃｉｅｎｔｓ）の個数の指示子を含み、
前記第２パートは、ＰＭＩを含むものである、請求項６に記載の端末。
【請求項１１】
無線通信システムにおける基地局のＣＳＩ（ｃｈａｎｎｅｌ  ｓｔａｔｅ  ｉｎｆｏｒｍａｔｉｏｎ）受信方法において、
端末に、広帯域（ｗｉｄｅｂａｎｄ）ＣＱＩ（ｃｈａｎｎｅｌ  ｑｕａｌｉｔｙ  ｉｎｆｏｒｍａｔｉｏｎ）又は狭帯域（ｓｕｂｂａｎｄ）ＣＱＩを指示する第１情報と、広帯域ＰＭＩ（ｐｒｅｃｏｄｉｎｇ  ｍａｔｒｉｘ  ｉｎｄｉｃａｔｏｒ）又は狭帯域ＰＭＩを指示する第２情報と、ＣＳＩ報告が生成される狭帯域のサブセット（ｓｕｂｓｅｔ）を指示する第３情報とを含み、前記ＣＳＩ報告を設定するメッセージを伝送する段階と、
前記端末から、前記第１情報、前記第２情報、及び前記第３情報のうち少なくとも一つに基づいて生成された前記ＣＳＩ報告を受信する段階と、を含む方法。
【請求項１２】
前記第１情報が前記広帯域ＣＱＩを指示し、前記第２情報が前記広帯域ＰＭＩを指示すると、前記ＣＳＩ報告は、ＣＲＩ（ＣＳＩ  ｒｅｆｅｒｅｎｃｅ  ｓｉｇｎａｌ  ｉｎｄｉｃａｔｏｒ）と共にＲＩ（ｒａｎｋ  ｉｎｄｉｃａｔｏｒ）、ＰＭＩ及びＲＳＲＰ（ｒｅｆｅｒｅｎｃｅ  ｓｉｇｎａｌ  ｒｅｃｅｉｖｅｄ  ｐｏｗｅｒ）のうち少なくとも一つをマルチプレクシングして生成されるものである、請求項１１に記載の方法。
【請求項１３】
前記ＣＳＩ報告は、一つのスロット内のＰＵＣＣＨ（ｐｈｙｓｉｃａｌ  ｕｐｌｉｎｋ  ｃｏｎｔｒｏｌ  ｃｈａｎｎｅｌ）上で受信されるものである、請求項１２に記載の方法。
【請求項１４】
前記ＣＳＩ報告が一つのスロット内のＰＵＳＣＨ（ｐｈｙｓｉｃａｌ  ｕｐｌｉｎｋ  ｓｈａｒｅｄ  ｃｈａｎｎｅｌ）上で受信されると、前記ＣＳＩ報告は、第１パート及び第２パートを含み、
前記第１パートは、第１コードワードのためのＲＩ、ＣＲＩ及びＣＱＩを含み、
前記第２パートは、第２コードワードのためのＰＭＩ及びＣＱＩを含むものである、請求項１１に記載の方法。
【請求項１５】
前記ＣＳＩ報告が一つのスロット内のＰＵＳＣＨ上で伝送され、上位階層シグナリングによってコードブックタイプ２が設定されると、前記ＣＳＩ報告は、第１パート及び第２パートを含み、
前記第１パートは、各々のレイヤーのためのＲＩ、ＣＱＩ及びノンゼロ（ｎｏｎ−ｚｅｒｏ）広帯域振幅係数（ｗｉｄｅｂａｎｄ  ａｍｐｌｉｔｕｄｅ  ｃｏｅｆｆｉｃｉｅｎｔｓ）の個数の指示子を含み、
前記第２パートは、ＰＭＩを含むものである、請求項１１に記載の方法。
【請求項１６】
無線通信システムにおいてＣＳＩ（ｃｈａｎｎｅｌ  ｓｔａｔｅ  ｉｎｆｏｒｍａｔｉｏｎ）を受信する基地局において、
信号を送信及び受信するように設定された送受信部と、
前記送受信部に接続され、端末に、広帯域（ｗｉｄｅｂａｎｄ）ＣＱＩ（ｃｈａｎｎｅｌ  ｑｕａｌｉｔｙ  ｉｎｆｏｒｍａｔｉｏｎ）又は狭帯域（ｓｕｂｂａｎｄ）ＣＱＩを指示する第１情報と、広帯域ＰＭＩ（ｐｒｅｃｏｄｉｎｇ  ｍａｔｒｉｘ  ｉｎｄｉｃａｔｏｒ）又は狭帯域ＰＭＩを指示する第２情報と、ＣＳＩ報告が生成される狭帯域のサブセット（ｓｕｂｓｅｔ）を指示する第３情報とを含み、前記ＣＳＩ報告を設定するメッセージを伝送し、前記端末から、前記第１情報、前記第２情報、及び前記第３情報のうち少なくとも一つに基づいて生成された前記ＣＳＩ報告を受信するように設定された制御部と、を含む基地局。
【請求項１７】
前記第１情報が前記広帯域ＣＱＩを指示し、前記第２情報が前記広帯域ＰＭＩを指示すると、前記ＣＳＩ報告は、ＣＲＩ（ＣＳＩ  ｒｅｆｅｒｅｎｃｅ  ｓｉｇｎａｌ  ｉｎｄｉｃａｔｏｒ）と共にＲＩ（ｒａｎｋ  ｉｎｄｉｃａｔｏｒ）、ＰＭＩ及びＲＳＲＰ（ｒｅｆｅｒｅｎｃｅ  ｓｉｇｎａｌ  ｒｅｃｅｉｖｅｄ  ｐｏｗｅｒ）のうち少なくとも一つをマルチプレクシングして生成されるものである、請求項１６に記載の基地局。
【請求項１８】
前記ＣＳＩ報告は、一つのスロット内のＰＵＣＣＨ（ｐｈｙｓｉｃａｌ  ｕｐｌｉｎｋ  ｃｏｎｔｒｏｌ  ｃｈａｎｎｅｌ）上で受信されるものである、請求項１７に記載の基地局。
【請求項１９】
前記ＣＳＩ報告が一つのスロット内のＰＵＳＣＨ（ｐｈｙｓｉｃａｌ  ｕｐｌｉｎｋ  ｓｈａｒｅｄ  ｃｈａｎｎｅｌ）上で受信されると、前記ＣＳＩ報告は、第１パート及び第２パートを含み、
前記第１パートは、第１コードワードのためのＲＩ、ＣＲＩ及びＣＱＩを含み、
前記第２パートは、第２コードワードのためのＰＭＩ及びＣＱＩを含むものである、請求項１６に記載の基地局。
【請求項２０】
前記ＣＳＩ報告が一つのスロット内のＰＵＳＣＨ上で伝送され、上位階層シグナリングによってコードブックタイプ２が設定されると、前記ＣＳＩ報告は、第１パート及び第２パートを含み、
前記第１パートは、各々のレイヤーのためのＲＩ、ＣＱＩ及びノンゼロ（ｎｏｎ−ｚｅｒｏ）広帯域振幅係数（ｗｉｄｅｂａｎｄ  ａｍｐｌｉｔｕｄｅ  ｃｏｅｆｆｉｃｉｅｎｔｓ）の個数の指示子を含み、
前記第２パートは、ＰＭＩを含むものである、請求項１６に記載の基地局。
【国際調査報告】
2020502922.tif 000105
2020502922.tif 000106